(57)【要約】  表示装置は、複数の映像を同時に表示する表示部と、複数の映像に対して優先順位を設定する優先順位設定部と、複数の映像を表示部に表示させる処理部とを備え、処理部は、複数の映像の解像度を変更せずに互いに重ねずに並べて表示部に表示できるか否かを判別し、解像度を変更せずに複数の映像を互いに重ねずに並べて表示部に表示できると判別した場合、複数の映像の解像度を変更せずに複数の映像を互いに重ねずに並べて表示部に表示させ、解像度を変更せずに複数の映像を互いに重ねずに並べて表示部に表示できないと判別した場合、表示部の解像度と複数の映像の解像度と優先順位とに基づいて、複数の映像のうち少なくとも１つの解像度を変更し、解像度を変更した映像を含む複数の映像を互いに重ねずに並べて表示部に表示させる。
2014013979.tif 000002
【特許請求の範囲】
【請求項１】
複数の映像を同時に表示する表示部と、
前記複数の映像に対して優先順位を設定する優先順位設定部と、
前記複数の映像を前記表示部に表示させる処理部と、を備え、
前記処理部は、
前記複数の映像の解像度を変更せずに互いに重ねずに並べて前記表示部に表示できるか否かを判別し、
前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させ、
前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる
ことを特徴とする表示装置。
【請求項２】
前記処理部は、
前記判別の結果、前記複数の映像の解像度を変更せずに前記複数の映像を互いに重ねずに並べて前記表示部に表示できないと判別した場合、前記複数の映像のうち前記優先順位の最も高い前記映像の解像度を変更せずに、前記表示部の解像度と、前記複数の映像の解像度と、前記優先順位と、に基づいて、前記優先順位の最も高い前記映像以外の映像のうち少なくとも１つの映像の解像度を変更し、解像度を変更した前記映像を含む前記複数の映像を互いに重ねずに並べて前記表示部に表示させる
ことを特徴とする請求項１に記載の表示装置。
【請求項３】
前記表示部に表示する前記映像の最小解像度を設定する最小解像度設定部をさらに備え、
前記処理部は、
判別の結果、前記複数の映像の解像度を変更せずに前記複数の映像を互いに重ねずに並べて前記表示部に表示できないと判別した場合、更に前記最小解像度に基づいて、前記複数の映像のうち少なくとも１つの解像度を変更し、解像度を変更した前記映像を含む前記複数の映像を互いに重ねずに並べて前記表示部に表示させる
ことを特徴とする請求項１または請求項２に記載の表示装置。
【請求項４】
前記処理部は、
前記判別の結果、前記複数の映像の解像度を変更せずに前記複数の映像を互いに重ねずに並べて前記表示部に表示できず、且つ前記複数の映像のうち少なくとも１つの解像度を前記最小解像度より小さくしなければ前記複数の映像のうち前記優先順位の最も高い前記映像の解像度を変更せずに前記複数の映像を互いに重ねずに並べて前記表示部に表示できないと判別した場合、前記優先順位の最も高い前記映像の解像度を変更して前記表示部に表示させる
ことを特徴とする請求項３に記載の表示装置。
【請求項５】
前記複数の映像のうち少なくとも２つの映像を、前記表示部で、重ねずに所定の方向で並列させる
ことを特徴とする請求項１から請求項４のいずれか１項に記載の表示装置。
【請求項６】
前記所定の方向が、水平方向である
ことを特徴とする請求項５に記載の表示装置。
【請求項７】
前記所定の方向が、垂直方向である
ことを特徴とする請求項５に記載の表示装置。
【請求項８】
前記処理部は、
前記優先順位の最も高い前記映像の解像度と前記表示部の解像度とに基づいて、前記優先順位の最も高い前記映像以外の映像の解像度を算出し、前記算出した解像度に応じて前記優先順位の最も高い前記映像以外の映像の解像度を変更し、前記残りの領域に前記変更した後の映像を表示する
ことを特徴とする請求項１から請求項７のいずれか１項に記載の表示装置。
【請求項９】
前記処理部は、
前記判別の結果、前記複数の映像の解像度を変更せずに前記複数の映像を互いに重ねずに並べて前記表示部に表示できないと判別した場合、アスペクト比を変えずに前記映像の解像度を変更する
ことを特徴とする請求項１から請求項８のいずれか１項に記載の表示装置。
【請求項１０】
複数の映像を同時に表示部に表示する表示手順と、
前記複数の映像に対して優先順位を設定する優先順位設定手順と、
前記複数の映像の解像度を変更せずに互いに重ねずに並べて前記表示部に表示できるか否かを判別する手順と、
前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させる手順と、
前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる手順と、
を含むことを特徴とする表示方法。
【発明の詳細な説明】
【技術分野】
【０００１】
本発明は、表示装置、及び表示方法に関する。
【背景技術】
【０００２】
一つの画面に複数の映像を表示する映像表示装置の一例が特許文献１に記載されている。特許文献１に記載されている映像表示装置では、外部から切替信号を入力することなく、一つの画面に２系統の映像を表示する場合と、１系統の映像を表示する場合とを自動で切り替えている。【０００３】
ここで、「画面」という語について確認する。例えば、特許文献１では、一つの画面に２系統の映像を表示する場合を「２画面」表示、また、一つの画面に１系統の映像を表示する場合を「１画面」表示と表記している。つまり、「画面」という語を、各映像信号に対応する表示領域という意味で用いている。一方、「画面」は、映像表示装置において像を映し出す面全体を意味する語としても用いられている。この場合、画面は、映像表示装置の各表示面を意味する。例えば「２画面」は、通常、二つの映像表示装置の二つの表示面を意味する。本願では、「画面」という語を、後者の意味、すなわち、映像表示装置において像を映し出す面全体を意味する語として用いる。【０００４】
特許文献１に記載されているように、一つの画面に２系統の映像を表示する場合、２系統の映像の表示形態は、次の２種類に分類できる。一つ目は、２系統の映像を重ねて表示する形態である。二つ目は、２系統の映像を重ねず、並べて表示する形態である。ここで、図２１を参照して、後者の表示形態、すなわち、一つの画面に２系統の映像並べて表示する形態の表示例について説明する。図２１は、一つの画面に２系統の映像並べて表示する形態の表示例を説明する図である。【０００５】
図２１に示した例では、映像表示装置９０２の画面の中央に分割線９２０を設定し、２系統の映像信号による二つの映像を、分割線９２０の左側と、右側とに分けて表示している。すなわち、２系統の映像信号である左側映像信号と右側映像信号とに基づいて、分割線９２０の左側に左側映像信号による映像９２１を表示し、分割線９２０の右側に右側映像信号による映像９２２を表示している。図２１に示した例では、左側映像信号の元の解像度が映像表示装置９０２の画面の解像度の半分より大きい場合には、分割線９２０の左側に表示される映像９２１は縮小された映像となる。また、図２１に示した例では、右側映像信号の元の解像度が映像表示装置９０２の画面の解像度の半分より小さい場合に、分割線９２０の右側に表示される映像９２２は元の解像度と同一の解像度の映像となっている。図２１に示した例では、左側の映像９２１が縮小表示されている。【０００６】
なお、「解像度」という語は、画素（ドット、ピクセル等とも呼ばれる）の細かさという意味と、総画素数という意味の２つの意味で用いられている。前者の場合、解像度は、ドットピッチや、ｄｐｉ（ｄｏｔｓ  ｐｅｒ  ｉｎｃｈ）などで表される。後者の場合、解像度は、画面の水平方向のドット数と、垂直方向のドット数とを掛け合わせた値、「水平方向のドット数」×「垂直方向のドット数」という形で表される。本願では、後者の意味、すなわち解像度を、総画素数を表すものとして用いる。この場合、解像度は、画面解像度とも呼ばれる。
【先行技術文献】
【特許文献】
【０００７】
【特許文献１】特開２００１−３４６１２１号公報
【発明の概要】
【発明が解決しようとする課題】
【０００８】
しかしながら、上記の関連技術では、２画面を長手方向に並べて表示する場合、入力された画像を縮小して表示するため画像の情報量が欠落、または画質が劣化するという問題があった。
また、上記の関連技術では、一つの画面に２系統の映像並べて表示すると、例えば図２１の映像９２１に文字を含む場合、映像９２１が縮小されるため文字は見えにくくなる。すなわち、一つの画面に複数の映像を表示する場合、表示の仕方によっては映像が見にくくなってしまうことがあるという課題があった。【０００９】
本発明は、上記の事情を考慮してなされたものであり、一つの画面に複数の映像を表示する際に、映像の見やすさを確保することができる表示装置及び表示方法を提供することを目的とする。
【課題を解決するための手段】
【００１０】
上記課題を解決するため、本発明の一態様である表示装置は、複数の映像を同時に表示する表示部と、前記複数の映像に対して優先順位を設定する優先順位設定部と、前記複数の映像を前記表示部に表示させる処理部と、を備え、前記処理部は、前記複数の映像の解像度を変更せずに互いに重ねずに並べて前記表示部に表示できるか否かを判別し、前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させ、前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる。【００１１】
上記課題を解決するため、本発明の一態様である表示方法は、複数の映像を同時に表示部に表示する表示手順と、前記複数の映像に対して優先順位を設定する優先順位設定手順と、前記複数の映像の解像度を変更せずに互いに重ねずに並べて前記表示部に表示できるか否かを判別する手順と、前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させる手順と、前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる手順と、を含む。
【発明の効果】
【００１２】
本発明によれば、縮小せずに表示することが望ましい映像に対して予め高い優先順位を設定しておけば、当該映像を表示部で縮小せずに表示することができる。よって、一つの画面に複数の映像を表示する場合に、文字等を含む映像に対して予め高い優先順位を設定しておけば、文字が見にくくなる可能性をより低くすることができる。
【図面の簡単な説明】
【００１３】
【図１】第１実施形態に係る表示装置の構成例を示したブロック図である。
【図２】第１実施形態に係る図１に示した映像表示装置の動作例を示したフローチャートである。
【図３】第１実施形態に係る図１に示した映像表示装置の表示例を説明するための説明図である。
【図４】第１実施形態に係る図１に示した映像表示装置の他の表示例を説明するための説明図である。
【図５】第２実施形態に係る表示装置の概略構成のブロック図である。
【図６】第２実施形態に係る入力画像ｐ１、ｐ２と表示画像ｐ３の一例を説明する図である。
【図７】第３実施形態に係る表示装置の概略構成のブロック図である。
【図８】第３実施形態に係る表示画像ｐ３の他の例を説明する図である。
【図９】第３実施形態に係る表示装置が行う処理のフローチャートである。
【図１０】第４実施形態に係る本実施形態に係る表示装置の概略構成のブロック図である。
【図１１】第４実施形態に係る有効領域、及び有効な情報部分の開始点を説明する図である。
【図１２】第４実施形態に係る画像表示における処理のフローチャートである。
【図１３】第４実施形態に係る画像表示における処理の一例を説明する図である。
【図１４】第５実施形態に係る表示装置の概略構成のブロック図である。
【図１５】第５実施形態に係る画像表示における処理のフローチャートである。
【図１６】第５実施形態に係る入力画像と表示画像の一例を説明する図である。
【図１７】第５実施形態に係る入力画像と表示画像の他の例を説明する図である。
【図１８】第６実施形態に係る表示装置の概略構成のブロック図である。
【図１９】第６実施形態に係る画像表示における処理のフローチャートである。
【図２０】第６実施形態に係る入力画像と表示画像の一例を説明する図である。
【図２１】一つの画面に２系統の映像並べて表示する形態の表示例を説明する図である。
【発明を実施するための形態】
【００１４】
［第１実施形態］
以下、図面を参照して本発明の実施の形態について説明する。図１は、本実施形態としての表示装置１の構成例を示したブロック図である。表示装置１は、処理部（映像処理回路）１３、検出部（調節用スイッチ）１４、表示部（液晶パネル）１５、記憶部（保存メモリ）１６、及び制御部（Ｃｅｎｔｒａｌ  Ｐｒｏｃｅｓｓｉｎｇ  Ｕｎｉｔ；ＣＰＵ）１７を備えている。
なお、以下の説明において、映像信号に含まれる画像の解像度を映像信号の解像度ともいい、解像度の情報を解像度情報ともいう。なお、映像信号に含まれる画像とは、映像信号が表示部１５に表示される画像または映像をいう。
【００１５】
処理部（映像処理回路）１３は、ＭＰＵ（Ｍｉｃｒｏ−Ｐｒｏｃｅｓｓｉｎｇ  Ｕｎｉｔ）等を含む信号処理回路であり、外部から２系統の映像信号（１）ｇ１と映像信号（２）ｇ２とを入力するとともに、制御部（ＣＰＵ）１７との間で映像処理回路制御信号ｇ１０１を入出力し、液晶パネル映像信号ｇ１０２を出力する。映像信号（１）ｇ１と映像信号（２）ｇ２とは、所定形式の映像信号であり、動画や静止画を表す信号である。映像信号（１）ｇ１と映像信号（２）ｇ２とは、例えば、各信号が示す映像の解像度を示す情報等を含んでいる。映像処理回路制御信号ｇ１０１は、複数種類の命令やデータを表す信号であり、制御部（ＣＰＵ）１７との間で相互に入出力される。液晶パネル映像信号ｇ１０２は、表示部（液晶パネル）１５が表示する映像を表す信号である。
【００１６】
処理部（映像処理回路）１３は、映像処理回路制御信号ｇ１０１に応じて、映像信号（１）ｇ１と映像信号（２）ｇ２とが表す映像の拡大、縮小、表示位置の調節、合成等の映像処理を行い、液晶パネル映像信号ｇ１０２を生成して表示部（液晶パネル）１５に出力する。なお、映像の拡大、縮小を、映像の解像度の変更ともいう。また、処理部（映像処理回路）１３は、映像処理回路制御信号ｇ１０１に応じて、所定のメニュー映像を表す信号を生成し、映像信号（１）ｇ１と映像信号（２）ｇ２とが表す映像に合成する映像処理等を行う。さらに、処理部（映像処理回路）１３は、入力された映像信号（１）ｇ１の解像度（総画素数）と入力された映像信号（２）ｇ２の解像度を検知して、検知した結果を示す信号を映像処理回路制御信号ｇ１０１に含まれる一つの信号として制御部（ＣＰＵ）１７へ出力する。
【００１７】
表示部（液晶パネル）１５は、偏光フィルタ、ガラス基板、液晶、バックライト、基板駆動回路等を有し、格子状に配置された複数の画素を用いて映像を表示する。表示部（液晶パネル）１５の出力解像度は画素数によって決定される。また、表示部（液晶パネル）１５が表示する映像は、液晶パネル映像信号ｇ１０２に基づいて決定される。すなわち、表示部（液晶パネル）１５は、固定された出力解像度を持ち、液晶パネル映像信号ｇ１０２に基づいて映像を表示する。ただし、表示装置１が備える表示部は、液晶パネルに限らず、例えば有機ＥＬ（Ｅｌｅｃｔｒｏ−Ｌｕｍｉｎｅｓｃｅｎｃｅ）パネルのように他の構造を有するものであってもよい。
【００１８】
制御部（ＣＰＵ）１７は、検出部（調節用スイッチ）１４から出力された調節用スイッチ検出信号ｇ１０３を入力するとともに、記憶部（保存メモリ）１６に調節値保存制御信号ｇ１０４を読み書きしながら、処理部（映像処理回路）１３との間で映像処理回路制御信号ｇ１０１を入出力する。制御部（ＣＰＵ）１７は、処理部（映像処理回路）１３に所定の映像処理回路制御信号ｇ１０１を送信することで、処理部（映像処理回路）１３によって、映像信号（１）ｇ１と映像信号（２）ｇ２とが表す映像の拡大、縮小、表示位置の調節、合成等や、所定のメニュー映像を合成する映像処理を行わせる。また、制御部（ＣＰＵ）１７は、そのメニュー映像に応じて検出部（調節用スイッチ）１４に対してユーザが行った操作の内容を示す調節用スイッチ検出信号ｇ１０３を、検出部（調節用スイッチ）１４から受信する。制御部（ＣＰＵ）１７は、調節用スイッチ検出信号ｇ１０３に基づいて、調節値保存制御信号ｇ１０４を生成し、記憶部（保存メモリ）１６に保存する。制御部（ＣＰＵ）１７は、検出部（調節用スイッチ）１４の操作に応じて、例えば２系統の映像信号（１）ｇ１又は映像信号（２）ｇ２のどちらを優先的に表示するのか、すなわちどちらの優先順位を高くするのかということを示す調節値保存制御信号ｇ１０４を生成及び保存する。そして、制御部（ＣＰＵ）１７は、記憶部（保存メモリ）１６に保存されている調節値保存制御信号ｇ１０４に基づいて、種々の映像処理回路制御信号ｇ１０１を生成し、処理部（映像処理回路）１３に対して出力する。
【００１９】
なお、調節値保存制御信号ｇ１０４は、複数のデータを含むことができる。すなわち、調節値保存制御信号ｇ１０４は、上述したように、映像信号（１）ｇ１又は映像信号（２）ｇ２の優先順位を示すデータを含むことができる。そのほか、調節値保存制御信号ｇ１０４は、２つの映像信号の並べ方（例えば左右に重ねずに並べて表示するとか、上下に重ねずに並べて表示するとか、どちらを左（又は右）に表示するのとか、どちらを上（又は下）に表示するのか）を示すデータ等を含むことができる。さらに、調節値保存制御信号ｇ１０４は、２つの映像信号を同時に表示するか否かを指示するためのデータ、２つの映像信号による映像を重ねずに並べて表示する場合の各映像間の間隔の値を示すデータ等を含むことができる。
【００２０】
検出部（調節用スイッチ）１４は、押しボタンスイッチやカーソルキーを有して構成されていて、ユーザの入力操作を検知し、検知した結果を調節用スイッチ検出信号ｇ１０３として出力する。ただし、検出部（調節用スイッチ）１４は、ハードスイッチあるいはハードキーに限らず、表示部（液晶パネル）１５上の形成されたタッチセンサ等を用いたソフトスイッチあるいはソフトキーとして構成されていてもよい。また、検出部（調節用スイッチ）１４は、赤外線信号等の無線信号を用いてユーザの入力操作を受け付けるものとしたり、外部の携帯端末等から通信回線を介してユーザの入力操作を受け付けるものとしたりすることができる。
【００２１】
記憶部（保存メモリ）１６は、たとえはＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ−Ｏｎｌｙ  Ｍｅｍｏｒｙ）等の不揮発メモリである。記憶部（保存メモリ）１６は、制御部（ＣＰＵ）１７の制御に応じて、調節値保存制御信号を書き込んだり、読み出したりする。また、記憶部（保存メモリ）１６には、表示部（液晶パネル）１５の出力解像度を示すデータ等の他のデータも記憶されている。
【００２２】
次に、図２を参照して、図１に示した表示装置１の動作例について説明する。図２は、本実施形態に係る図１に示した映像表示装置の動作例を示したフローチャートである。図２に示したフローチャートは、表示装置１に２系統の映像信号（１）ｇ１及び（２）ｇ２を入力した場合に、映像信号（１）ｇ１が示す映像と、映像信号（２）ｇ２が示す映像とを、同時に表示部（液晶パネル）１５に表示する際の処理の流れを示している。この場合、２つの映像は、表示部（液晶パネル）１５上で、左右（又は上下）に重らずに並べて表示される。
【００２３】
また、映像信号（１）ｇ１の解像度及び映像信号（２）ｇ２の解像度は、ともに、表示部（液晶パネル）１５の出力解像度より小さい値であるとする。すなわち、例えば、図３に示したように、表示部（液晶パネル）１５の出力解像度をＸ０×Ｙ０、映像信号（１）ｇ１の解像度をＸ１×Ｙ１、そして、映像信号（２）ｇ２の解像度をＸ２×Ｙ２とすると、Ｘ１＜Ｘ０、Ｘ２＜Ｘ０、Ｙ１＜Ｙ０、及び、Ｙ２＜Ｙ０の関係が成り立つものとする。なお、図３は、本実施形態に係る図１に示した表示装置１の表示例を説明するための説明図である。ここで、Ｘ０、Ｘ１及びＸ２は水平方向の画素数である。そして、Ｙ０、Ｙ１及びＹ２は垂直方向の画素数である。
【００２４】
また、図２に示した処理は、例えば検出部（調節用スイッチ）１４に対するユーザによる操作に応じて、映像信号（１）ｇ１又は映像信号（２）ｇ２の優先順位に関する設定と、２系統の映像信号に基づく２つの映像を左右（又は上下）に重ねずに並べて同時に表示する動作を行うことを指示する設定とが行われた場合に開始される。この場合、図２の処理に先立って、制御部（ＣＰＵ）１７は、映像信号（１）ｇ１又は映像信号（２）ｇ２のどちらを優先的に表示するのかということ示すデータと、映像信号（１）ｇ１及び映像信号（２）ｇ２に基づく各映像を左右又は上下に並べる動作を行うことを示すデータと、どちらを左（若しくは右）又は上（若しくは下）に表示するのかということを示すデータとを含む調節値保存制御信号ｇ１０４を生成し、記憶部（保存メモリ）１６に保存している。
【００２５】
処理が開始すると、まず、処理部（映像処理回路）１３が入力された２つの映像信号（１）ｇ１と映像信号（２）ｇ２とから解像度の情報を取得する（ステップＳ１）。次に、制御部（ＣＰＵ）１７が、ステップＳ１で取得された各解像度の情報を処理部（映像処理回路）１３から入力し、２つの映像信号の解像度が各映像信号を出力する表示部（液晶パネル）１５の出力解像度を超えているか否かを判定する（ステップＳ２）。
【００２６】
ステップＳ２で制御部（ＣＰＵ）１７は、２つの映像を左右に並べる場合、図３に示した例ではＸ１＋Ｘ２≦Ｘ０のとき、２つの映像信号の解像度が出力の解像度を超えていないと判定する。また、２つの映像を上下に並べる場合には、制御部（ＣＰＵ）１７は、Ｙ１＋Ｙ２≦Ｙ０のとき、２つの映像信号の解像度が出力の解像度を超えていないと判定する。すなわち、ステップＳ２では、制御部（ＣＰＵ）１７が、映像信号（１）ｇ１による映像と、映像信号（２）ｇ２による映像とを、縮小せずにそのまま左右（又は上下）に重ねずに並べて表示部（液晶パネル）１５に表示可能か否かを判定する。
【００２７】
ステップＳ２で、２つの映像信号の解像度が表示部（液晶パネル）１５の出力の解像度を超えていないと判定された場合、制御部（ＣＰＵ）１７は、所定の映像処理回路制御信号ｇ１０１を出力することで処理部（映像処理回路）１３を制御して、表示部（液晶パネル）１５によって、２つの映像信号（１）ｇ１による映像と映像信号（２）ｇ２による映像とを左右（又は上下）に重ねずに並べて等倍で表示する（ステップＳ３）。すなわち、ステップＳ３で制御部（ＣＰＵ）１７は、２つの映像信号（１）ｇ１による映像の解像度と映像信号（２）ｇ２による映像の解像度とを変更せずそのままで、左右（又は上下）に重ねずに並べて表示するよう処理部（映像処理回路）１３を設定する。
【００２８】
一方、ステップＳ２で、２つの映像信号の解像度が表示部（液晶パネル）１５の出力の解像度を超えていると判定された場合、制御部（ＣＰＵ）１７は、記憶部（保存メモリ）１６から所定の調節値保存制御信号ｇ１０４を読み出し、映像信号（１）ｇ１と映像信号（２）ｇ２とのどちらの優先順位が高く設定されているのかを判定する（ステップＳ４）。
【００２９】
ステップＳ４で映像信号（１）ｇ１が優先されていると判定した場合、制御部（ＣＰＵ）１７は、所定の映像処理回路制御信号ｇ１０１を出力することで処理部（映像処理回路）１３を制御して、表示部（液晶パネル）１５で、映像信号（１）ｇ１による映像を所定の位置で、等倍で表示する（ステップＳ５）。すなわち、制御部（ＣＰＵ）１７は、映像信号（１）ｇ１の解像度を変更せず（つまり縮小せず）にそのままの解像度で表示する。次に、制御部（ＣＰＵ）１７は、表示部（液晶パネル）１５の出力解像度と映像信号（１）ｇ１の解像度との差分から映像信号（２）ｇ２の解像度を算出する（ステップＳ６）。
【００３０】
ステップＳ６で制御部（ＣＰＵ）１７は、図３に示したように２つの映像を左右に並べる場合、差分＝Ｘ０−Ｘ１に基づいて、この差分＝Ｘ０−Ｘ１を超えない所定の値を、変更後の映像信号（２）ｇ２の水平方向の解像度とする。また、変更後の映像信号（２）ｇ２の垂直方向の解像度を、変更後の水平方向の解像度に基づき、アスペクト比が元の映像と同一となるように算出する。他方、２つの映像を上下に並べる場合には、差分＝Ｙ０−Ｙ１に基づいて、差分＝Ｙ０−Ｙ１を超えない所定の値を、変更後の映像信号（２）ｇ２の垂直方向の解像度とする。また、変更後の映像信号（２）ｇ２の水平方向の解像度は、変更後の垂直方向の解像度に基づき、アスペクト比が元の映像と同一となるように算出する。
【００３１】
次に、制御部（ＣＰＵ）１７は、所定の映像処理回路制御信号ｇ１０１を出力することで映像処理回路１０１を制御して、表示部（液晶パネル）１５で、映像信号（２）ｇ２による映像を所定の位置で、ステップＳ６で算出した解像度を用いて縮小して表示する（ステップＳ７）。
【００３２】
他方、ステップＳ４で映像信号（２）ｇ２が優先されていると判定した場合、制御部（ＣＰＵ）１７は、所定の映像処理回路制御信号ｇ１０１を出力することで処理部（映像処理回路）１３を制御して、表示部（液晶パネル）１５で、映像信号（２）ｇ２による映像を所定の位置で、等倍で表示する（ステップＳ８）。すなわち、制御部（ＣＰＵ）１７は、映像信号（２）ｇ２の解像度を変更せず（つまり縮小せず）にそのままの解像度で表示する。次に、制御部（ＣＰＵ）１７は、表示部（液晶パネル）１５の出力解像度と映像信号（２）ｇ２の解像度の差分から映像信号（１）ｇ１の解像度を算出する（ステップＳ９）。
【００３３】
ステップＳ９で制御部（ＣＰＵ）１７は、図３に示したように２つの映像を左右に並べる場合には、差分＝Ｘ０−Ｘ２に基づいて、この差分＝Ｘ０−Ｘ２を超えない所定の値を、変更後の映像信号（１）ｇ１の水平方向の解像度とする。また、変更後の映像信号（１）ｇ１の垂直方向の解像度は、変更後の水平方向の解像度に基づき、アスペクト比が元の映像と同一となるように算出する。他方、２つの映像を上下に並べる場合には、差分＝Ｙ０−Ｙ２に基づいて、この差分＝Ｙ０−Ｙ２を超えない所定の値を、変更後の映像信号（１）ｇ１の垂直方向の解像度とする。また、変更後の映像信号（１）ｇ１の水平方向の解像度は、変更後の垂直方向の解像度に基づき、アスペクト比が元の映像と同一となるようにして算出する。
【００３４】
次に、制御部（ＣＰＵ）１７は、所定の映像処理回路制御信号ｇ１０１を出力することで処理部（映像処理回路）１３を制御して、表示部（液晶パネル）１５で、映像信号（１）ｇ１による映像を所定の位置で、ステップＳ９で算出した解像度を用いて縮小して表示する（ステップＳ１０）。
【００３５】
図３は、映像信号（１）ｇ１の優先順位が最も高く、かつ、映像信号（１）ｇ１と映像信号（２）ｇ２とを左右に重ねずに並べて表示するとの設定がされている場合の表示例を示している。また、映像信号（１）ｇ１の解像度は、映像信号（２）ｇ２の解像度より大きい。さらに、映像信号（１）ｇ１の水平方向の解像度Ｘ１と映像信号（２）ｇ２の水平方向の解像度Ｘ２との合計は、表示部（液晶パネル）１５の水平方向の解像度Ｘ０を超えている。この場合、図２のステップＳ２では「超えている」、そしてステップＳ４では「映像信号（１）優先」と判定される。よって、ステップＳ５からステップＳ７の処理が行われる。したがって、図３に示したように、映像信号（１）ｇ１による映像ｇ１ａが表示部（液晶パネル）１５の画面の例えば左側に等倍表示される。さらに、映像信号（２）ｇ２による映像ｇ２ａが表示部（液晶パネル）１５の画面の例えば右側に縮小表示される。
【００３６】
次に、図４を参照して、表示装置１の他の表示例について説明する。図４は、第１実施形態に係る図１に示した表示装置１の他の表示例を説明するための説明図である。図４は、映像信号（２）ｇ２の優先順位が最も高く、かつ、映像信号（１）ｇ１と映像信号（２）ｇ２とを左右に重ねずに並べて表示するとの設定がされている場合の表示例を示している。また、映像信号（１）ｇ１の解像度が、映像信号（２）ｇ２の解像度より大きい。さらに、映像信号（１）ｇ１の水平方向の解像度と映像信号（２）ｇ２の水平方向の解像度との合計は、表示部（液晶パネル）１５の水平方向の解像度を超えていない。この場合、図２のステップＳ２では「超えていない」と判定される。よって、ステップＳ３の処理が行われる。したがって、図４に示したように、映像信号（１）ｇ１による映像ｇ１ｂが表示部（液晶パネル）１５の画面の例えば左側に等倍表示される。さらに、映像信号（２）ｇ２による映像ｇ２ｂが表示部（液晶パネル）１５の画面の例えば右側に等倍表示される。
【００３７】
図３及び図４に示した例では、優先順位の最も高い映像を縮小しないで表示することで、例えばその映像に文字が含まれている場合に見やすい文字表示を行うことができる。なお、優先順位が最も高い映像を、最優先の映像ともいう。
【００３８】
以上のように、表示装置は、映像を表示する表示部と、入力された複数の映像信号に対して優先順位を設定する優先順位設定部と、複数の映像信号のうち、優先順位設定部によって最も高い優先順位が設定されている映像信号を縮小せずに表示部に表示させ、他の映像信号を縮小して表示部に表示させるよう制御する制御部と、を備える。
【００３９】
この構成によって、本実施形態では、図２に示した処理による、表示装置１の一つの画面内に２つの入力映像信号を重ねず、表示する動作において、入力映像信号に優先順位を設定している。そして、優先順位の高い方の入力映像信号を縮小せずにそのまま表示し、優先順位の低い方の入力映像信号を画面上の残り領域で所定の解像度で縮小表示を行う。この構成によれば、二つの入力映像信号の解像度が画面の解像度を超える場合でも、片方の映像信号は等倍表示することができる。このため、例えば見やすく文字を表示したい映像信号の優先順位を高くしておくことで、映像に文字が含まれている場合に見やすい文字表示を行うことができる。
【００４０】
なお、本発明の実施の形態は上記のものに限定されない。例えば、３以上の複数の映像信号を入力できるようにしてもよい。この場合、各映像信号に優先順位を付け、最も高い優先順位の映像信号による映像を等倍表示するようにすることができる。また、映像信号に対する優先順位は、ユーザが手動で設定することに限定されず、例えば、所定の周期で自動的に変更するようにしてもよい。また、図１に示した構成に対しては、複数のブロックを統合したり、各ブロックをさらに分割したりする変更を適宜行うことができる。例えば処理部（映像処理回路）１３と制御部（ＣＰＵ）１７とを統合したり、処理部（映像処理回路）１３や制御部（ＣＰＵ）１７が有する機能の一部を処理部（映像処理回路）１３や制御部（ＣＰＵ）１７とは別のブロックで構成したりすることができる。
【００４１】
［第２実施形態］
図５は、本実施形態に係る表示装置１Ａの概略構成のブロック図である。図５に示すように表示装置１Ａは、ｎ（ｎは２以上の整数）個の第１入力部１１−１〜第ｎ入力部１１−ｎ、選択部１２Ａ、処理部１３Ａを備えている。選択部１２Ａには検出部１４が接続されている。処理部１３Ａには、表示部１５が接続されている。
【００４２】
第１入力部１１−１は、入力された第１の映像信号ｇ１を選択部１２Ａに出力する。第ｎ入力部１１−ｎは、入力された第ｎの映像信号ｇｎを選択部１２Ａに出力する。第１入力部１１−１〜第ｎ入力部１１−ｎは、例えば映像入力端子を含む。また第１入力部１１−１〜第ｎ入力部１１−ｎは、入力された映像信号がアナログ信号の場合、アナログ信号をデジタル信号に変換し、変換した映像信号を選択部１２Ａに出力するようにしてもよい。
【００４３】
選択部１２Ａは、検出部１４が検出した検出信号に基づいて第１入力部１１−１から第ｎ入力部１１−ｎのうち少なくとも１つの入力部を選択する。検出部１４は、表示装置本体のボタンスイッチやリモコンを操作して、ＯＳＤ（Ｏｎ  Ｓｃｒｅｅｎ  Ｄｉｓｐｌａｙ）表示等により、ユーザの希望する入力部の選択や優先入力部の指定を検出する。選択部１２Ａは、選択された入力部が１つのときは、当該選択された入力部の映像信号を処理部１３Ａに出力する。処理部１３Ａは、必要に応じて適宜映像信号を処理し、表示部１５に出力する。選択部１２Ａは、選択された入力部が２つのとき、検出部１４の検出結果により、ユーザが指定した優先入力部に入力された映像信号を優先し、他方の入力部に入力された映像信号に含まれる画像の解像度を変更することを示す変更情報を生成する。選択部１２Ａは、生成した変更情報、入力された映像信号ｇ１〜ｇｎを処理部１３Ａに出力する。
【００４４】
処理部１３Ａは、選択部１２Ａから入力された変更情報に基づいて、映像信号ｇ１〜ｇｎのうち、優先入力部に入力される映像信号に含まれる第１の画像の解像度を変更しない。処理部１３Ａは、第１の画像を表示部１５上の所定の位置に表示する。ここで所定の位置とは、表示部１５が横長の形状の場合、第１の画像の左辺を表示部１５の左辺に寄せた位置、または第１の画像の右辺を表示部１５の右辺に寄せた位置である。あるいは所定の位置とは、表示部１５が縦長の形状の場合、第１の画像の上辺を表示部１５の上辺に寄せた位置、または第１の画像の下辺を表示部１５の下辺に寄せた位置である。
また、処理部１３Ａは、選択部１２Ａから入力された変更情報に基づいて、映像信号ｇ１〜ｇｎのうち、優先入力部以外に入力された映像信号に含まれる第２の画像の解像度を変更して、変更した後の画像を表示部１５の残りの領域に表示する。ここで、画像の解像度の変更とは、例えば画像を拡大する、画像を縮小する、または画像の一部を抽出することである。
【００４５】
例として、２つの映像信号ｇ１、ｇ２が入力された場合について説明する。
図６は、本実施形態に係る入力画像ｐ１、ｐ２と表示画像ｐ３の一例を説明する図である。ここで、入力画像とは、第１入力部１１−１に入力される映像信号ｇ１に含まれる画像、第２入力部１１−２に入力される映像信号ｇ２に含まれる画像である。表示画像とは、処理部１３Ａから出力される映像信号に含まれる画像である。図６に示した例では、ユーザにより第１入力部１１−１を優先入力部とすることが指定されている場合である。また、入力画像ｐ１は表示部１５における表示画像ｐ３の左側の位置に表示され、入力画像ｐ２は表示部１５における表示画像ｐ３の右側の位置に表示されるとして説明する。
【００４６】
図６の上段に示す入力画像ｐ１およびｐ２は、横がｒ１画素、縦がｒ２画素である。図６の下段に示す表示画像ｐ３は、横がｒ３画素、縦がｒ２画素である。表示画像ｐ３には、入力画像ｐ１と、入力画像ｐ２の解像度を変更した画像ｐ２’が含まれる。
【００４７】
次に、入力画像ｐ１を含む映像信号ｇ１、およびｐ２を含む映像信号ｇ２が入力されたときに表示装置１が行う処理の一例を説明する。
まず、選択部１２Ａは、検出部１４が検出した検出値に基づいて、第１入力部１１−１を優先入力部とする。次に、選択部１２Ａは、入力画像ｐ１の解像度を変更せず入力画像ｐ２の解像度を変更することを示す変更情報を生成する。次に、選択部１２Ａは、生成した変更情報、入力された映像信号ｇ１およびｇ２を処理部１３Ａに出力する。
【００４８】
処理部１３Ａは、選択部１２Ａから入力された変更情報に基づいて、入力画像ｐ１の解像度を変更せず、図６の下段に示したように表示部１５上の左側の位置に表示する。次に、処理部１３Ａは、選択部１２Ａから入力された変更情報に基づいて、入力画像ｐ２の解像度を変更して、図６の下段に示したように表示部１５上の残りの領域に重ならないように並べて表示する。図６の下段に示した例では、処理部１３Ａは、入力画像ｐ２の横方向をｒ１画素からｒ４画素に縮小し、縦方向をｒ２画素からｒ５画素に縮小する。なお、ｒ４はｒ１より小さい値であり、ｒ５はｒ２より小さい値である。
【００４９】
なお、図６において、ユーザの操作による検出部１４からの指示により、優先入力部を入れ替えることができる。図６の状態では、第１入力部１１−１が優先入力部に指定されていたが、ユーザの希望により、第２入力部１１−２を優先入力部に切り替えることができる。この場合、優先入力部に入力される信号は、映像信号ｇ２となり、入力画像ｐ２を表示部の右側に解像度を変更せずに表示し、他の入力部からの映像信号ｇ１に基づく入力画像ｐ１は、解像度を縮小して左側に表示する。
【００５０】
以上のように、本実施形態に係る表示装置は、各映像信号がそれぞれ入力される複数の入力部と、選択部と、処理部とを備え、選択部は、複数の入力部のうち、複数の入力部を選択するとともに、選択した複数の入力部のうち、１つの入力部を優先入力部とし、処理部は、優先入力部に入力された映像信号に含まれる第１の画像の解像度を変更せず表示部上に表示し、選択部により選択された他の入力部に入力された映像信号に含まれる第２の画像の解像度を変更し、表示部上の第１の画像を表示した残りの領域に変更した後の画像を表示する。
【００５１】
これにより、本実施形態に係る表示装置１Ａは、複数の第１入力部１１−１〜第ｎ入力部１１−ｎのうちの選択された入力部のうち、優先入力部に指定された１つの入力部に入力された映像信号を優先する。そして、本実施形態に係る表示装置１Ａは、優先入力部に入力された映像信号に含まれる画像の解像度を変更せずに表示部１５に表示する。さらに、本実施形態に係る表示装置１Ａは、他の入力部に入力された映像信号に含まれる画像を、表示部１５の残った表示領域に変更して表示する。このように、本実施形態に係る表示装置１Ａは、優先入力部に入力された映像信号に含まれる画像の解像度を変更せずに、他の入力部に入力された映像信号に基づく画像を変更する。
この結果、本実施形態に係る表示装置１Ａは、表示領域の画像の情報量の欠落を低減して複数の画像を重ねず並べて表示することができる。
【００５２】
なお、図６に示した例では、入力画像ｐ２を縮小して表示画像ｐ３に表示する例を説明したが、これに限られない。入力画像ｐ２の横方向のｒ１画素が残りの領域の横方向のｒ４画素より小さい場合、処理部１３Ａは入力画像ｐ２を拡大して、拡大した後の画像を残りの領域に表示するようにしてもよい。
【００５３】
［第３実施形態］
図７は、本実施形態に係る表示装置１Ｂの概略構成のブロック図である。図７に示すように、表示装置１Ｂは、第１入力部１１−１、第２入力部１１−２、選択部１２Ｂ、処理部１３Ｂ、検出部１４、表示部１５、および記憶部１６を備えている。また、選択部１２Ｂは、第１画素数検出部１２１−１、第２画素数検出部１２１−２、切替部１２３を備えている。処理部１３Ｂは、制御部１３１、調整部１３２、画像合成部１３３を備えている。なお、第２実施形態と同じ機能を有する機能部は、同じ符号を用いて説明を省略する。
【００５４】
まず、選択部１２Ｂについて説明する。
第１画素数検出部１２１−１は、第１入力部１１−１から入力された第１の映像信号ｇ１に含まれる画像の画素数を検出し、検出した画素数を示す情報を映像情報ｇ２０３−１として処理部１３Ｂの制御部１３１に出力する。
第２画素数検出部１２１−２は、第２入力部１１−２から入力された第２の映像信号ｇ２に含まれる画像の画素数を検出し、検出した画素数を示す情報を映像情報ｇ２０３−２として制御部１３１に出力する。
【００５５】
切替部１２３には、第１入力部１１−１が出力した第１の映像信号ｇ１、第２入力部１１−２が出力した第２の映像信号ｇ２、制御部１３１が出力した選択信号ｇ２０５が入力される。ここで、選択信号ｇ２０５は、検出部１４により検出されたユーザの操作に基づく入力された第１入力部１１−１または第２入力部１１−２に対する優先度に基づく信号である。
切替部１２３は、選択信号ｇ２０５に応じて、第１入力部１１−１または第２入力部１１−２を選択する。切替部１２３は、選択した入力部に入力された映像信号（映像信号ｇ２０６という）を処理部１３Ｂの画像合成部１３３に出力する。切替部１２３は、選択信号ｇ２０５に応じて、選択されていない入力部に入力された映像信号（映像信号ｇ２０７という）を処理部１３Ｂの調整部１３２に出力する。
【００５６】
次に、処理部１３Ｂについて説明する。
制御部１３１は、検出部１４により検出されたユーザの操作に応じて選択信号ｇ２０５を生成し、生成した選択信号ｇ２０５を切替部１２３に出力する。
ユーザが第１入力部１１−１を優先することを選択したことが検出された場合、制御部１３１は、第１入力部１１−１に入力された第１の映像信号ｇ１を画像合成部１３３に出力し、他方の第２入力部１１−２に入力された第２の映像信号ｇ２を調整部１３２に出力することを示す選択信号ｇ２０５を生成する。あるいは、ユーザが第２入力部１１−２を優先することを選択したことが検出された場合、制御部１３１は、第２入力部１１−２に入力された第２の映像信号ｇ２を画像合成部１３３に出力し、他方の第１入力部１１−１に入力された第１の映像信号ｇ１を調整部１３２に出力することを示す選択信号ｇ２０５を生成する。
【００５７】
制御部１３１は、選択部１２Ｂから入力された映像情報ｇ２０３−１、映像情報ｇ２０３−２および検出部１４により検出されたユーザの操作に基づいて映像信号に対する変更情報ｇ２０８を生成し、生成した変更情報ｇ２０８を調整部１３２に出力する。ここで、変更情報ｇ２０８とは、調整部１３２に入力された映像信号ｇ２０７に含まれる画像の解像度を縮小する縮小率を示す情報、または拡大する拡大率を示す情報である。
制御部１３１は、選択部１２Ｂから入力された映像情報ｇ２０３−１、映像情報ｇ２０３−２および検出部１４により検出されたユーザの操作に基づいて、第１の映像信号ｇ１と第２の映像信号ｇ２おのおのに含まれる各画像に対する配置情報ｇ２１０を生成する。制御部１３１は、生成した配置情報ｇ２１０を画像合成部１３３に出力する。
制御部１３１は、映像情報ｇ２０３−１、映像情報ｇ２０３−２、変更情報ｇ２０８、配置情報ｇ２１０を記憶部１６に記憶させる。
記憶部１６には、映像情報ｇ２０３−１、映像情報ｇ２０３−２、変更情報ｇ２０８、配置情報ｇ２１０が記憶されている。
【００５８】
調整部１３２は、制御部１３１から入力された変更情報ｇ２０８に基づいて、選択部１２Ｂから入力された映像信号ｇ２０７に含まれる画像の解像度を変更し、解像度を変更した画像を含む映像信号ｇ２０９を画像合成部１３３に出力する。
画像合成部１３３は、選択部１２Ｂから入力された映像信号ｇ２０６に含まれる画像と調整部１３２から入力された映像信号ｇ２０９に含まれる画像とを、制御部１３１から入力された配置情報ｇ２１０に応じて合成する。画像合成部１３３は、合成した画像を表示部１５に表示する。
【００５９】
例として、２つの映像信号ｇ１、ｇ２が入力された場合について図６〜図９を用いて以下に説明する。
図６に示した例において、入力画像ｐ１およびｐ２の解像度は等しい。入力画像ｐ１およびｐ２の解像度（横方向ｒ１画素×縦方向ｒ２画素）は、例えば１９２０画素×１０８０画素である。表示部１５に表示される表示画像ｐ３の解像度（横方向ｒ３画素×縦方向ｒ２画素）は、例えば２５６０画素×１０８０画素である。
【００６０】
図６に示した例では、第１入力部１１−１に入力された映像信号ｇ１に含まれる入力画像ｐ１を優先する。このため、処理部１３Ｂは、入力画像ｐ１の解像度（１９２０画素×１０８０画素）を変更せずに画像ｐ３の左側の位置に配置して表示部１５上に表示する。画像ｐ３において、入力画像ｐ１を表示した残りの領域は、横方向ｒ４画素が６４０画素である。このため、処理部１３Ａは、入力画像ｐ２の解像度を、例えば６４０画素×３６０画素（横方向ｒ４画素×縦方向ｒ５画素）に縮小する。処理部１３Ｂは、縮小した画像ｐ２’を画像ｐ３の残りの領域に配置して表示部１５上に表示する。
【００６１】
図８は、本実施形態に係る表示画像ｐ３の他の例を説明する図である。図８に示した例は、ユーザにより第２入力部１１−２に入力される映像信号ｇ２に含まれる表示画像ｐ２を優先することが選択されている場合である。
２つの入力画像ｐ１およびｐ２の解像度は、図６の上段に示した入力画像ｐ１およびｐ２と同じ解像度である。また、表示部１５に表示される表示画像ｐ３の解像度（横方向ｒ３画素×縦方向ｒ２画素）は、図６の下段と同じ解像度であり、例えば２５６０画素×１０８０画素である。
【００６２】
図８に示したように、第２入力部１１−２に入力される映像信号ｇ２に含まれる入力画像ｐ２を優先する場合、処理部１３Ｂは、入力画像ｐ２の解像度を変更せずに表示画像ｐ３の右側の位置に配置する。画像ｐ３において、入力画像ｐ１を表示した残りの領域は、横方向ｒ４画素が６４０画素である。このため、処理部１３Ａは、入力画像ｐ１の解像度を、例えば６４０画素×３６０画素（横方向ｒ４画素×縦方向ｒ５画素）に縮小する。処理部１３Ｂは、縮小した画像ｐ１’を画像ｐ３の残りの領域に配置して表示部１５上に表示する。
【００６３】
次に、入力画像ｐ１およびｐ２に対応する映像信号ｇ１およびｇ２が入力されたときに表示装置１Ｂが行う処理手順の一例を説明する。
図９は、本実施形態に係る表示装置１Ｂが行う処理のフローチャートである。
（ステップＳ１０１）制御部１３１は、検出部１４が検出した検出値に基づいて、第１入力部１１−１を優先するのか、第２入力部１１−２を優先するのかを検出する。ステップＳ１０１終了後、制御部１３１は処理をステップＳ１０２に進める。
【００６４】
（ステップＳ１０２）第１画素数検出部１２１−１は、第１入力部１１−１から入力された映像信号ｇ１に含まれる画像の画素数を検出し、検出した画素数を示す映像情報ｇ２０３−１を制御部１３１に出力する。次に、第２画素数検出部１２１−２は、第２入力部１１−２から入力された映像信号ｇ２に含まれる画像の画素数を検出し、検出した画素数を示す映像情報ｇ２０３−２を制御部１３１に出力する。ステップＳ１０２終了後、制御部１３１は処理をステップＳ１０３に進める。
【００６５】
（ステップＳ１０３）切替部１２３は、制御部１３１から入力された選択信号ｇ２０５に応じて優先する入力部に入力された映像信号を選択し、選択した映像信号を画像合成部１３３に出力する。次に、切替部１２３は、制御部１３１から入力された選択信号ｇ２０５に応じて、他の入力部に入力された映像信号を調整部１３２に出力する。ステップＳ１０３終了後、制御部１３１は処理をステップＳ１０４に進める。
（ステップＳ１０４）制御部１３１は、映像情報ｇ２０３−１、映像情報ｇ２０３−２および検出部１４により検出されたユーザの操作に基づいて映像信号に対する変更情報ｇ２０８を生成し、生成した変更情報ｇ２０８を調整部１３２に出力する。ステップＳ１０４の処理については、後述する。ステップＳ１０４終了後、制御部１３１は処理をステップＳ１０５に進める。
【００６６】
（ステップＳ１０５）調整部１３２は、制御部１３１から入力された変更情報ｇ２０８に基づいて、切替部１２３から入力された映像信号ｇ２０７に含まれる画像の解像度を変更する。調整部１３２は、変更後の画像を含む映像信号ｇ２０９を画像合成部１３３に出力する。
【００６７】
（ステップＳ１０６）画像合成部１３３は、制御部１３１から入力された配置情報ｇ２１０に応じて、映像信号ｇ２０６に含まれる画像を表示部１５上の予め定められている位置に配置する。次に、画像合成部１３３は、制御部１３１から入力された配置情報ｇ２１０に応じて、解像度変更後の映像信号ｇ２０９に含まれる画像を表示画像ｐ３の残りの領域に配置する。ここで、予め定められている位置とは、例えば表示部１５の形状が横長であり、第１入力部１１−１を優先することが選択されている場合、図６の下段に示したように画像の左辺が表示部１５の左辺に合わされた位置である。あるいは、予め定められている位置とは、例えば表示部１５の形状が横長であり、第２入力部１１−２を優先することが選択されている場合、図８に示したように画像の右辺が表示部１５の右辺に合わされた位置である。
以上で、画像表示における処理を終了する。
【００６８】
次に、制御部１３１が行う図９に示したステップＳ１０４の処理の一例を、図６、図７を用いて説明する。
図６に示した例では、優先する入力部は、第１入力部１１−１である。表示部１５の解像度は、横が２５６０画素であり、縦が１０８０画素であるとする。また、第１の映像信号ｇ１に含まれる入力画像ｐ１および第２の映像信号ｇ２に含まれる入力画像ｐ２の解像度は、各々、横が１９２０画素であり、縦が１０８０画素であるとする。
【００６９】
制御部１３１は、表示部１５の横方向の解像度２５６０画素から、優先する第１入力部１１−１に入力された入力画像ｐ１の横方向の解像度１９２０画素を減算する。次に、制御部１３１は、減算して得られた画素数の差６４０画素を、画像ｐ２’に対する横方向の画素数に決定する。次に、制御部１３１は、入力画像ｐ２のアスペクト比を維持するために、横方向の縮小率に応じた縦の画素数３６０（＝１０８０×（６４０／１９２０））を算出する。次に、制御部１３１は、算出した画素数３６０画素を、画像ｐ２’に対する縦方向の画素数に決定する。制御部１３１は、このように横方向と縦方向の各画素数を変更情報ｇ２０８として生成する。あるいは、制御部１３１は、縮小率（６４０／１９２０）を変更情報ｇ２０８として生成するようにしてもよい。
【００７０】
以上のように、本実施形態に係る表示装置において、処理部は、第１の画像の解像度と表示部の解像度とに基づいて、第２の画像の解像度を算出し、算出した解像度に応じて第２の画像の解像度を変更し、残りの領域に変更した後の画像を表示する。
また、本実施形態に係る表示装置において、処理部は、アスペクト比を変えずに第２の画像の解像度を変更する。
【００７１】
これにより、本実施形態に係る表示装置１Ｂは、ユーザにより選択された入力部を優先する。そして、本実施形態に係る表示装置１Ｂは、優先する入力部に入力された映像信号に含まれる画像の解像度を変更せずに表示部１５に表示する。そして、本実施形態に係る表示装置１Ｂは、選択されていない他の入力部に入力された映像信号に含まれる画像のアスペクト比を変更せずに縮小または拡大する。そして、本実施形態に係る表示装置１Ｂは、縮小または拡大後の画像を表示部１５の残った表示領域に表示する。
従って、本実施形態に係る表示装置１Ｂは、選択された入力部に入力された映像信号に含まれる画像の解像度を変更しないため、表示領域の画像の情報量の欠落を低減して複数の画像を重ねず並べて表示することができる。
【００７２】
なお、本実施形態では、優先する入力部をユーザが選択する例を説明したが、これに限られない。優先する入力部は、例えば第１入力部１１−１を優先するように予め定められていてもよい。
【００７３】
なお、本実施形態では、表示装置１Ｂが第１入力部１１−１と第２入力部１１−２の２つを備えている例を説明したが、これに限られない。入力部は、３つ以上であってもよい。例えば、表示装置１Ｂが３つの入力部を備えている場合、制御部１３１は、選択された優先する入力部から入力された映像信号に含まれる画像の解像度を変更しない。そして、制御部１３１は、選択されていない他の入力部から入力された映像信号に含まれる画像の解像度を変更するようにしてもよい。
【００７４】
入力部が３つ以上ある場合、ユーザは優先する入力部を２つ選択するようにしてもよい。この場合、制御部１３１は、選択された優先する２つの入力部から入力された２つの映像信号に含まれる各画像の解像度を変更しない。そして、制御部１３１は、残りの入力部から入力された映像信号に含まれる画像の解像度を変更するようにしてもよい。
また、３つの入力部があり、１つのみ優先する入力部として例えば第２入力部１１−２が選択されている場合を説明する。制御部１３１は、第２入力部１１−２から入力された第２の映像信号ｇ２に含まれる画像を表示部１５の真ん中の位置に配置するようにしてもよい。そして、制御部１３１は、第２の映像信号ｇ２に含まれる画像を配置した左右の領域に、残りの入力部から入力された映像信号に含まれる画像の解像度を変更して表示するように制御してもよい。
【００７５】
なお、本実施形態において、ユーザにより選択された入力部に入力された映像信号に含まれる画像の解像度を変更せず、選択されていない他の入力部入力された映像信号に含まれる画像の解像度を変更する例を説明したが、これに限られない。処理部１３Ｂは、選択された入力部を優先し、優先する入力部に入力された映像信号に含まれる画像の解像度を変更し、選択されていない他の入力部入力された映像信号に含まれる画像の解像度を変更しないようにしてもよい。この場合、処理部１３Ｂは、選択されていない他の入力部入力された映像信号に含まれる画像を表示した残りの領域に、選択された入力部に入力された映像信号に含まれる画像の解像度を変更して表示するようにしてもよい。
【００７６】
［第４実施形態］
第３実施形態では、ユーザにより選択された入力部に入力された映像信号に含まれる画像の解像度を変更せず、選択されていない他の入力部から入力された映像信号に含まれる画像の解像度を変更する例を説明した。本実施形態では、選択されていない他の入力部から入力された映像信号に含まれる画像の有効領域を抽出する。そして、本実施形態では、抽出した有効領域の画像をユーザにより選択された入力部に入力された映像信号に含まれる画像と重ねずに並べて表示部上に表示する。ここで、有効領域は、一例として、有効な情報を有する領域である。例えば、有効領域は、予め定められている色の領域以外の領域である。また、本実施形態では、有効領域を有していない領域を無効領域という。
【００７７】
図１０は、本実施形態に係る本実施形態に係る表示装置１Ｃの概略構成のブロック図である。第２実施形態と同じ機能を有する機能部には同じ符号を用いて、説明を省略する。
図１０に示すように、表示装置１Ｃは、第１入力部１１−１、第２入力部１１−２、選択部１２Ｃ、処理部１３Ｃ、検出部１４、表示部１５、および記憶部１６を備えている。また、選択部１２Ｃは、第１画素数検出部１２１−１、第２画素数検出部１２１−２、切替部１２３Ｃを備えている。処理部１３Ｃは、制御部１３１Ｃ、調整部１３２Ｃ、画像合成部１３３、画像開始点検出部１３４を備えている。
【００７８】
選択部１２Ｃの切替部１２３Ｃは、選択信号ｇ２０５に応じて、第１入力部１１−１または第２入力部１１−２を選択する。切替部１２３Ｃは、選択した入力部に入力された映像信号（映像信号ｇ２０６という）を処理部１３Ｃの画像合成部１３３に出力する。切替部１２３Ｃは、選択信号ｇ２０５に応じて、選択されていない入力部に入力された映像信号（映像信号ｇ２０７という）を処理部１３Ｃの画像開始点検出部１３４に出力する。
【００７９】
処理部１３Ｃの制御部１３１Ｃは、検出部１４により検出されたユーザの操作に応じて選択信号ｇ２０５を生成し、生成した選択信号ｇ２０５を切替部１２３Ｃに出力する。
制御部１３１Ｃは、画像開始点検出部１３４から入力された映像情報に含まれる画像の垂直映像開始点、水平映像終了点、垂直映像開始点、及び水平映像終了点に基づいて、変更情報ｇ２０８Ｃを生成する。なお、変更情報ｇ２０８Ｃの生成については後述する。制御部１３１Ｃは、調整部１３２Ｃから入力された有効領域の解像度を示す解像度情報ｇ２１３に基づいて、調整部１３２Ｃが抽出した有効領域の画像を、優先する画像を表示した残りの領域に表示可能であるか否かを判別する。制御部１３１Ｃは、判別した結果に応じて表示倍率を算出し、算出した表示倍率を変更情報ｇ２０８Ｃに含めて調整部１３２Ｃに出力する。
【００８０】
制御部１３１Ｃは、映像情報ｇ２０３−１、映像情報ｇ２０３−２、有効領域情報ｇ２１２および検出部１４により検出されたユーザの操作に基づいて、優先する入力部に入力された映像信号に含まれる画像と、抽出した有効領域の画像を拡大または縮小した画像とに対する配置情報ｇ２１０Ｃを生成する。制御部１３１Ｃは、生成した配置情報ｇ２１０Ｃを画像合成部１３３に出力する。
制御部１３１Ｃは、映像情報ｇ２０３−１、映像情報ｇ２０３−２、変更情報ｇ２０８Ｃ、有効領域情報ｇ２１２、解像度情報ｇ２１３、配置情報ｇ２１０Ｃを記憶部１６に記憶させる。
記憶部１６には、映像情報ｇ２０３−１、映像情報ｇ２０３−２、変更情報ｇ２０８Ｃ、有効領域情報ｇ２１２、解像度情報ｇ２１３、配置情報ｇ２１０Ｃが記憶されている。
【００８１】
画像開始点検出部１３４は、切替部１２３Ｃから入力された映像信号ｇ２０７に含まれる画像の有効領域の各開始点を検出し、検出した各開始点を示す情報を有効領域情報ｇ２１２として制御部１３１Ｃに出力する。ここで、映像信号ｇ２０７に含まれる有効領域の各開始点とは、例えば、水平映像開始点、水平映像終了点、垂直映像開始点、及び水平映像終了点の４点である。画像開始点検出部１３４は、画像の有効領域の各開始点を、公知の画像認識技術を用いて検出する。画像開始点検出部１３４は、切替部１２３Ｃから入力された映像信号ｇ２０７を調整部１３２Ｃに出力する。
【００８２】
調整部１３２Ｃは、制御部１３１Ｃから入力された変更情報ｇ２０８Ｃに基づいて、画像開始点検出部１３４から入力された映像信号ｇ２０７に含まれる画像から有効領域を抽出する。なお、有効領域の抽出については後述する。調整部１３２Ｃは、制御部１３１Ｃから入力された変更情報ｇ２０８Ｃに含まれる表示倍率に応じて、抽出した映像信号に含まれる画像の有効領域の画像を拡大処理または縮小処理する。調整部１３２Ｃは、拡大処理後または縮小処理後の画像を含む映像信号ｇ２０９Ｃを画像合成部１３３に出力する。
【００８３】
図１１は、本実施形態に係る有効領域、及び有効な情報部分の開始点を説明する図である。
図１１に示した画像ｐ１１は、例えば、不図示の映像再生装置が出力した映像信号に含まれる画像の例である。この映像再生装置は、画像ｐ１２を表示装置１Ｃに出力する際、例えば画像ｐ１２を画像ｐ１１の中心に配置する。次に、映像記録再生装置は、画像ｐ１２の画素数を変更せず、表示装置１Ｃの表示可能な画素数に合わせて、画像ｐ１２の周辺に黒色の画像領域を追加した画像ｐ１１を生成する。次に、映像記録再生装置は、生成した画像ｐ１１を含む映像信号を表示装置１Ｃに出力する。
【００８４】
ここで、本実施形態における有効領域とは、例えば画像ｐ１１において黒色の画像領域以外の画像領域である。例えば図１１において、画像ｐ１２は、画像ｐ１１における有効領域の画像である。また、本実施形態において、無効領域とは、例えば画像ｐ１１において、画像ｐ１２以外の黒色の画像領域の部分の画像ｐ１３である。なお、黒色の画像領域の映像信号は、映像信号が予め定められている信号レベルより低い信号レベルの映像信号を含むようにしてもよい。
図１１において、画像ｐ１１の解像度（横方向×縦方向）は、ｒ１１画素×ｒ１２画素である。また、画像ｐ１２の解像度（横方向×縦方向）は、ｒ１３画素×ｒ１４画素である。また、点ａ１は水平映像開始点を示し、点ａ２は水平映像終了点を示し、点ａ３は垂直映像開始点を示し、点ａ４は水平映像終了点を示す。
【００８５】
次に、選択部１２Ｃと処理部１３Ｃとが行う画像表示における処理の一例を、図１２と図１３を用いて説明する。図１２は、本実施形態に係る画像表示における処理のフローチャートである。図１３は、本実施形態に係る画像表示における処理の一例を説明する図である。なお、図１２、図１３に示した例では、第１入力部１１−１が、ユーザにより優先する入力部として選択された場合の例である。
【００８６】
図１３において、画像ｐ１０１は、表示部１５に表示される合成後の画像であり、画像ｐ１０２は、第１の映像信号ｇ１に含まれる画像であり、画像ｐ１０３は、第２の映像信号ｇ２に含まれる画像である。また、画像ｐ１０４は、第２の映像信号ｇ２に含まれる有効領域の画像であり、画像ｐ１０５は、第２の映像信号ｇ２に含まれる無効領域の画像である。
【００８７】
また、点ａ１〜点ａ４は、図１１で説明した点と同様である。また、第２の映像信号ｇ２は、図１１と同様に、画像ｐ１０４以外の領域が黒色の画像領域である画像である。また、図１３において、画像ｐ１０２の解像度（横方向×縦方向）は、ｒ１０１画素×ｒ１０２画素であり、画像ｐ１０３の解像度は、ｒ１１１画素×ｒ１１２画素であり、画像ｐ１０４の解像度は、ｒ１２１画素×ｒ１２２画素である。また、画像ｐ１０１の解像度（横方向×縦方向）は、ｗ１画素×ｈ画素である。
【００８８】
（ステップＳ２０１）第１画素数検出部１２１−１は、第１の映像信号ｇ１に含まれる画像ｐ１０２の画素数を検出する。第２画素数検出部１２１−２は、第２の映像信号ｇ２に含まれる画像ｐ１０３の画素数を検出する。次に、画像開始点検出部１３４は、画像ｐ１０３における垂直映像開始点ａ３を探す。例えば、画像開始点検出部１３４は、垂直方向に上から下の方向に向かって黒色の画像領域ではない画像領域が始まる垂直方向の位置を探す。画像開始点検出部１３４は、ステップＳ２０１が終了後、処理をステップＳ２０２に進める。
【００８９】
（ステップＳ２０２）画像開始点検出部１３４は、画像ｐ１０３における垂直映像終了点ａ４を探す。例えば、画像開始点検出部１３４は、垂直方向に下から上の方向に向かって黒色の画像領域ではない画像領域が始まる垂直方向の位置を探す。画像開始点検出部１３４は、ステップＳ２０２が終了後、処理をステップＳ２０３に進める。
【００９０】
（ステップＳ２０３）制御部１３１Ｃは、ステップＳ２０１およびＳ２０２で探した垂直映像開始点ａ３から垂直映像終了点ａ４の間を、垂直方向の表示範囲に決定する。制御部１３１Ｃは、ステップＳ２０３が終了後、処理をステップＳ２０４に進める。
【００９１】
（ステップＳ２０４）画像開始点検出部１３４は、画像ｐ１０３における水平映像開始点ａ１を探す。例えば、画像開始点検出部１３４は、水平方向に左から右の方向に向かって黒色の画像領域ではない画像領域が始まる水平方向の位置を探す。画像開始点検出部１３４は、ステップＳ２０４が終了後、処理をステップＳ２０５に進める。
【００９２】
（ステップＳ２０５）画像開始点検出部１３４は、画像ｐ１０３における水平映像終了点ａ２を探す。例えば、画像開始点検出部１３４は、水平方向に右から左の方向に向かって黒色の画像領域ではない画像領域が始まる水平方向の位置を探す。画像開始点検出部１３４は、ステップＳ２０５が終了後、処理をステップＳ２０６に進める。
【００９３】
（ステップＳ２０６）制御部１３１Ｃは、ステップＳ２０４およびＳ２０５で探した水平映像開始点ａ１から水平映像終了点ａ２の間を、水平方向の表示範囲に決定する。制御部１３１Ｃは、ステップＳ２０６が終了後、処理をステップＳ２０７に進める。
【００９４】
（ステップＳ２０７）制御部１３１Ｃは、ステップＳ２０１〜Ｓ２０６で求めた各位置と表示範囲を示す情報を生成し、生成した表示範囲に基づいて、画像ｐ１０４の画素数を算出する。次に、制御部１３１Ｃは、算出した画素数に基づいて変更情報ｇ２０８Ｃを生成し、生成した変更情報ｇ２０８Ｃを調整部１３２Ｃに出力する。制御部１３１Ｃは、ステップＳ２０７が終了後、処理をステップＳ２０８に進める。
【００９５】
（ステップＳ２０８）調整部１３２Ｃは、制御部１３１Ｃから入力された変更情報ｇ２０８Ｃに基づいて、画像ｐ１０３から画像ｐ１０４を抽出する。次に、調整部１３２Ｃは、抽出した画像ｐ１０４の解像度を検出し、検出した解像度を示す解像度情報ｇ２１３を制御部１３１Ｃに出力する。
【００９６】
次に、制御部１３１Ｃは、調整部１３２Ｃが抽出した画像ｐ１０４の横方向の画素数が、（ｗ１−ｒ１０１）画素以内であるか否かを、調整部１３２Ｃから入力された解像度情報ｇ２１３に基づいて判別する。制御部１３１Ｃは、抽出した画像ｐ１０４の横方向の画素数が、（ｗ１−ｒ１０１）画素以内であると判別した場合、画像ｐ１０４の横方向を拡大する際の表示倍率（ｗ１−ｒ１０１）／ｒ１２１を算出する。この場合、制御部１３１Ｃは、アスペクト比を保つため、横方向と縦方向の拡大率を同じ値に決定する。次に、制御部１３１Ｃは、算出した表示倍率を変更情報ｇ２０８Ｃに含めて調整部１３２Ｃに出力する。なお、ｒ１２１画素と（ｗ１−ｒ１０１）画素が等しい場合、表示倍率は１倍である。
【００９７】
制御部１３１Ｃは、抽出した画像ｐ１０４の横方向の画素数が、（ｗ１−ｒ１０１）画素以内ではないと判別した場合、画像ｐ１０４の横方向を縮小する際の表示倍率ｒ１２１／（ｗ１−ｒ１０１）を算出する。次に、制御部１３１Ｃは、算出した表示倍率を変更情報ｇ２０８Ｃに含めて調整部１３２Ｃに出力する。
次に、調整部１３２Ｃは、制御部１３１Ｃから入力された変更情報ｇ２０８Ｃに含まれる表示倍率に応じて、抽出した有効領域の画像を拡大処理または縮小処理する。調整部１３２Ｃは、ステップＳ２０８が終了後、処理をステップＳ２０９に進める。
【００９８】
（ステップＳ２０９）画像合成部１３３は、制御部１３１Ｃから入力された配置信号ｇ２１０Ｃに基づいて、画像ｐ１０２を、画像ｐ１０１における水平方向の左端ｗ＝０の位置に配置し、垂直方向の中心を画像ｐ１０１における垂直方向の画素ｈの半分の位置に配置する。次に、画像合成部１３３は、制御部１３１Ｃからの配置信号ｇ２１０Ｃに基づいて、画像ｐ１０４を拡大または縮小した画像ｐ１０４’における水平方向の左端をｗ＝ｒ１０１画素の位置に配置し、垂直方向の中心を画像ｐ１０１における垂直方向の解像度ｈ画素の半分の位置に配置する。
以上で、画像表示における処理を終了する。
【００９９】
以下に、ステップＳ２０１〜Ｓ２０９における処理の一例を図１２および図１３を用いて説明する。以下の例において、画像ｐ１０１の解像度（横方向×縦方向）は、２５６０画素×１０８０画素であり、画像ｐ１０２の解像度は、１９２０画素×１０８０画素である。画像ｐ１０３の解像度は、１２８０画素×７２０画素であり、有効領域の画像ｐ１０４の解像度は、６４０画素×４８０画素である。
【０１００】
第１画素数検出部１２１−１は、画像ｐ１０２の画素数１９２０×１０８０を検出する。第２画素数検出部１２１−２は、画像ｐ１０３の画素数１２８０×７２０を検出する。次に、画像開始点検出部１３４は、画像ｐ１０３における垂直映像開始点ａ３（＝１２０画素）を探す（ステップＳ２０１）。
画像開始点検出部１３４は、画像ｐ１０３における垂直映像終了点ａ４（＝６００画素）を探す（ステップＳ２０２）。
制御部１３１Ｃは、垂直映像開始点ａ３（＝１２０画素）から垂直映像終了点ａ４（＝６００画素）の間を、垂直方向の表示範囲とする（ステップＳ２０３）。
【０１０１】
画像開始点検出部１３４は、画像ｐ１０３における水平映像開始点ａ１（＝３２０画素）を探す（ステップＳ２０４）。
画像開始点検出部１３４は、画像ｐ１０３における水平映像終了点ａ２（＝９６０画素）を探す（ステップＳ２０５）。
制御部１３１Ｃは、水平映像開始点ａ１（＝３２０画素）から水平映像終了点ａ２（＝９６０画素）の間を、垂直方向の表示範囲とする（ステップＳ２０６）。
【０１０２】
制御部１３１Ｃは、画像ｐ１０４の横方向の解像度を６４０（＝９６０−３２０）画素×４８０（＝６００−１２０）画素を算出する。次に、調整部１３２Ｃは、制御部１３１Ｃから入力された変更情報ｇ２０８Ｃに基づいて、画像ｐ１０３から画像ｐ１０４を抽出する（ステップＳ２０７）。
【０１０３】
調整部１３２Ｃは、画像ｐ１０４の水平方向の６４０画素が、残りの領域の６４０画素（２５６０−１９２０）画素以内であるか否かを、制御部１３１Ｃが出力した解像度情報ｇ１３に基づいて判別する。画像ｐ１０４の水平方向の６４０画素が、残りの領域の６４０画素（２５６０−１９２０）画素と等しいため、調整部１３２Ｃは、画像ｐ１０４に対する表示倍率を１に決定し、拡大処理も縮小処理も行わない（ステップＳ２０８）。
【０１０４】
画像合成部１３３は、画像ｐ１０２を、画像ｐ１０１における水平方向の左端ｗ＝０の位置に配置し、垂直方向の中心を画像ｐ１０１における垂直方向の画素１０８０の半分の５４０画素の位置に配置する。次に、画像合成部１３３は、画像ｐ１０４における水平方向の左端を画像ｐ１０２の右端である１９２０画素の位置に配置し、垂直方向の中心を画像ｐ１０１における垂直方向の半分の５４０画素の位置に配置する（ステップＳ２０９）。
以上の処理により、本実施形態の表示装置１Ｃは、選択された入力部に入力される映像信号に含まれる画像ｐ１０２と、選択されていない入力部に入力される映像信号に含まれる画像ｐ１０３から抽出した有効領域の画像ｐ１０４とを、表示部１５の長手方向に重ねずに並べて表示する。
【０１０５】
なお、ステップＳ２０８において、制御部１３１Ｃは、画像ｐ１０３から画像ｐ１０４を抽出する前に、画像ｐ１０２と画像ｐ１０３とを表示部１５に重ならないように並べて表示可能であるか否かを判別するようにしてもよい。この場合、制御部１３１Ｃは、例えば、第１画素数検出部１２１−１と第２画素数検出部１２１−２が検出した画素数に基づいて、画像ｐ１０２と画像ｐ１０３とを表示部１５に重ならないように並べて表示可能であるか否かを判別する。そして、画像が重ならないように並べて表示可能ではないと判別した場合、制御部１３１Ｃは、調整部１３２Ｃを制御して、画像ｐ１０３から有効領域の画像ｐ１０４を抽出するようにしてもよい。
【０１０６】
仮に、図１３において、表示部１５の残りの領域（ｗ１−ｒ１０１）×ｈに画像ｐ１０３を縮小処理して全て表示する場合、表示部１５に表示される画像ｐ１０４’の画素数は、縮小処理が行われるため６４０×３６０である。このため、表示部１５に表示される画像ｐ１０４’は、画像ｐ１０３が２５％に縮小されるため７５％の情報が欠落する。
一方、本実施形態の表示装置１Ｃでは、画像ｐ１０３の中から有効領域を抽出した画像ｐ１０４を、表示部１５の残りの領域（ｗ１−ｒ１０１）×ｈに表示する。この結果、表示部１５上に表示される画像ｐ１０４は、単純に画像ｐ１０３を縮小して表示する場合と比較して、情報量の欠落を低減することができる。
【０１０７】
また仮に、図１３において、画像ｐ１０３から、表示部１５の残りの領域（ｗ１−ｒ１０１）×ｈに表示可能な画素数の画像を抽出する作業を、例えば利用者が表示部１５の画像を観察しながら行うことは非常に手間がかかる。
一方、本実施形態の表示装置１Ｃでは、画像ｐ１０３から有効領域を自動的に抽出して、抽出した画像ｐ１０４を表示部１５に表示する。この結果、利用者の作業効率が向上する効果がある。
【０１０８】
なお、本実施形態では、画像ｐ１０２を表示部１５の左側の位置に配置し、画像ｐ１０４を表示部１５の右側の残りの領域に配置する例を説明した。このような配置は、例えば、利用者が検出部１４を操作した結果に応じて、制御部１３１Ｃが出力する変更情報ｇ２０８に配置する位置を示す情報ｇ２１０Ｃを含めるようにしてもよい。
また、表示部１５の垂直方向が長手方向であり、水平方向が短手方向である縦長の形状である場合、例えば、画像ｐ１０２を上側に配置し、残りの領域に画像ｐ１０４を表示するようにしてもよい。
【０１０９】
また、図１２および図１３に示した例では、第１入力部１１−１を優先する例を説明したが、第２、第３実施形態と同様に第２入力部１１−２を優先するようにしてもよい。
【０１１０】
また、本実施形態では、入力される映像信号が２つの場合を説明したが、入力される映像信号は３つ以上であってもよい。この場合、例えば、表示装置１Ｃは、検出部１４が検出した利用者の操作結果に基づいて、表示部１５に表示する２つの画像を決定するようにしてもよい。あるいは、表示装置１Ｃは、入力された全ての映像信号に含まれる画像を重ねずに並べて表示するようにしてもよい。このような場合、表示装置１Ｃは、例えば、表示部１５に表示する優先順位を検出部１４が検出した利用者の操作結果に基づいて決定するようにしてもよい。そして、表示装置１Ｃは、優先順位の高い２つの映像信号に含まれる画像を表示し、残りの領域に、選択されていない映像信号に含まれる画像から抽出した有効領域の画像を表示するようにしてもよい。あるいは、表示装置１Ｃは、入力された映像信号の内、２つ以上の映像信号に含まれる画像から有効領域の画像を抽出して、抽出した画像を重ねずに並べて表示するようにしてもよい。
【０１１１】
また、本実施形態では、有効領域の画像を他の画像と重ねずに並べて表示部１５に表示すると画像が重なる場合、有効領域の画像を縮小する例を説明したが、これに限られない。調整部１３２Ｃは、拡大縮小処理に限らず、例えば画素を間引く処理を行ってもよく、用途に応じて有効領域の画像の一部を更に抽出するようにしてもよい。
【０１１２】
また、本実施形態では、制御部１３１Ｃが、抽出する画像ｐ１０４の画素数を算出する例を説明したが、例えば画像開始点検出部１３４が画素数の算出を行うようにしてもよい。また、本実施形態では、選択部１２Ｃと処理部１３Ｃとが分かれている構成の例を説明したが、例えば、選択部１２Ｃが処理部１３Ｃを含む構成であってもよい。
【０１１３】
また、本実施形態では、無効領域として、黒色の画像領域の例を説明したがこれに限られない。無効領域は、他の色の領域であってもよい。例えば、図１１において、無効領域ｐ１３が青色の領域である場合、画像開始点検出部１３４は、予め定められている青色に対応する信号レベルを含む範囲以外の信号レベルの位置を、画像開始点または画像終了点として検出するようにしてもよい。あるいは、画像開始点検出部１３４は、予め定められている青以外に対応する信号レベルの範囲内である位置を、画像開始点または画像終了点として検出するようにしてもよい。なお、画像開始点検出部１３４は、入力された信号がデジタル信号の場合、例えばＲＢＧ（赤青緑）の各値に基づいて、黒色の画像領域、または他の色の画像領域を検出するようにしてもよい。このような場合、ＲＢＧ（赤青緑）の各値は、信号レベルに対応する。
また、有効領域以外の領域は、予め定められている色の領域に限られず、例えば、ハッシュ、メッシュ等の予め定められているパターン画像であってもよい。
【０１１４】
また、本実施形態では、有効領域の映像開始点または映像終了点を検出する例を説明したが、これに限られない。画像開始点検出部１３４は、例えば、映像信号に含まれる画像から有効領域を抽出し、抽出した有効領域の各端部の位置を、画像開始点または画像終了点として検出するようにしてもよい。
【０１１５】
また、本実施形態では、図１３に示した例では、画像ｐ１０２と画像ｐ１０４における垂直方向の中心の位置を、表示部１５の垂直方向の中心の位置に配置する例を説明したが、これに限られない。画像ｐ１０２と画像ｐ１０４における垂直方向の中心の位置は、表示部１５の垂直方向の中心の位置以外であってもよい。また、表示装置１Ｃは、画像ｐ１０２の中心の位置と画像ｐ１０４における垂直方向の中心の位置とを異なる位置に配置するようにしてもよい。
【０１１６】
以上のように、本実施形態の一態様の表示装置は、処理部が、第２の画像から有効領域を検出し、第２の画像から検出した有効領域を抽出し、残りの領域に抽出して得た有効領域画像を表示する。
このような構成により、本実施形態の一態様の表示装置は、表示領域の画像の情報量の欠落を低減して複数の画像を並べて表示できる。
【０１１７】
また、本実施形態の一態様の表示装置は、処理部が、画像の信号レベルが予め定められている範囲の領域を有効領域として検出する。
また、本実施形態の一態様の表示装置は、処理部が、第２の画像の垂直方向における有効領域の開始点と終了点とを検出し、第２の画像の水平方向における有効領域の開始点と終了点とを検出することで有効領域を検出する。
また、本実施形態の一態様の表示装置は、入力された画像の画素数を検出する画素数検出部を備え、処理部が、画素数検出部が検出した画素数に基づいて、第２の画像を残りの領域に表示可能であるか否かを判別し、第２の画像を残りの領域に表示可能ではないと判別した場合、第２の画像から検出した有効領域を抽出する。
このような構成により、本実施形態の一態様の表示装置は、有効領域を自動的に検出することができる。この結果、利用者に対する利便性が向上する。
【０１１８】
［第５実施形態］
本実施形態では、表示装置１Ｄにｎ個（ｎは１以上の整数）の映像信号が入力された場合に、表示部１５上に重ねずに並べて表示する例を説明する。
【０１１９】
図１４は、本実施形態に係る表示装置１Ｄの概略構成のブロック図である。図１４に示すように、表示装置１Ｄは、第１入力部１１−１、第ｎ入力部１１−ｎ、選択部１２Ｄ、処理部１３Ｄ、検出部１４Ｄ、表示部１５、および記憶部１６を備えている。また、選択部１２Ｄは、第１画素数検出部１２１−１及び第ｎ画素数検出部１２１−ｎを備えている。処理部１３Ｄは、制御部１３１Ｄ、調整部１３２Ｄ、画像合成部１３３Ｄを備えている。なお、第１実施形態に示した表示装置１と同じ機能を有する機能部は、同じ符号を用いて説明を省略する。なお、第１画素数検出部１２１−１及び第ｎ画素数検出部１２１−ｎは、処理部１３Ｄが備えていてもよい。
【０１２０】
第１入力部１１−１は、入力された第１の映像信号ｇ１を選択部１２Ｄに出力する。第ｎ入力部１１−ｎは、入力された第ｎの映像信号ｇｎを選択部１２Ｄに出力する。第１入力部１１−１〜第ｎ入力部１１−ｎは、例えば映像入力端子を含む。また第１入力部１１−１〜第ｎ入力部１１−ｎは、入力された映像信号がアナログ信号の場合、アナログ信号をデジタル信号に変換し、変換した映像信号を選択部１２Ｄに出力するようにしてもよい。
【０１２１】
第１画素数検出部１２１−１は、第１入力部１１−１から入力された第１の映像信号ｇ１に含まれる画像の画素数を検出し、検出した画素数を示す情報を映像情報ｇ２０３−１として処理部１３Ｄの制御部１３１Ｄに出力する。
第ｎ画素数検出部１２１−ｎは、第ｎ入力部１１−ｎから入力された第ｎの映像信号ｇｎに含まれる画像の画素数を検出し、検出した画素数を示す情報を映像情報ｇ２０３−ｎとして制御部１３１Ｄに出力する。
【０１２２】
検出部１４Ｄは、表示装置本体のボタンスイッチやリモコンを操作して、ＯＳＤ表示等により、ユーザの希望する入力部の選択や優先入力部の指定を検出する。検出部１４Ｄは、検出したユーザの希望する入力部の選択や優先入力部の指定を示す優先情報を、処理部１３Ｄの制御部１３１Ｄに出力する。
【０１２３】
制御部１３１Ｄには、選択部１２Ｄから映像情報ｇ２０３−１、・・・、ｇ２０３−ｎ、及び検出部１４Ｄから優先情報が入力される。制御部１３１Ｄは、記憶部１６に記憶されている表示部１５の解像度を読み出す。なお、制御部１３１Ｄは、表示部１５に表示される映像信号に基づいて、表示部１５の解像度を検出するようにしてもよい。制御部１３１Ｄは、第１〜第ｎの映像信号ｇ１〜ｇｎに含まれる画像の解像度を変更せずに、表示部１５に画像を重ねずに並べて表示できるか否かを、読み出した表示部１５の解像度及び映像情報ｇ２０３−１、・・・、ｇ２０３−ｎに基づいて判別する。
【０１２４】
制御部１３１Ｄは、第１〜第ｎの映像信号ｇ１〜ｇｎに含まれる画像の解像度を変更せずに、表示部１５に画像を重ねずに並べて表示できると判別した場合、第１〜第ｎの映像信号ｇ１〜ｇｎに含まれる画像の解像度を変更しないことを示す解像度情報ｇ２１４を生成し、生成した解像度情報ｇ２１４を調整部１３２Ｄに出力する。また、制御部１３１Ｄは、第１〜第ｎの映像信号ｇ１〜ｇｎに含まれる画像を互いに重ねずに並べて表示部１５上に表示させる配置を決定し、決定した配置情報ｇ２１０Ｄを画像合成部１３３Ｄに出力する。なお、画像の解像度の変更とは、画像の拡大、縮小を行うことをいう。また、映像信号に含まれる画像とは、映像信号が示す映像であり、例えば映像信号に含まれる同期信号や制御信号等以外である。
【０１２５】
制御部１３１Ｄは、第１〜第ｎの映像信号ｇ１〜ｇｎに含まれる画像の解像度を変更せずに、表示部１５に画像を重ねずに並べて表示できないと判別した場合、第１〜第ｎの映像信号ｇ１〜ｇｎに含まれる画像のうち、最も高い優先順位の画像の解像度を変更せず、且つ優先順位２位以下の画像の変更する解像度を示す解像度情報ｇ２１４を生成し、生成した解像度情報ｇ２１４を調整部１３２Ｄに出力する。なお、画像の解像度の演算方法については後述する。また、制御部１３１Ｄは、第１〜第ｎの映像信号ｇ１〜ｇｎに含まれる画像を互いに重ねずに並べて表示部１５上に表示させる配置を決定し、決定した配置情報ｇ２１０Ｄを画像合成部１３３Ｄに出力する。
【０１２６】
調整部１３２Ｄは、制御部１３１Ｄが出力した解像度情報ｇ２１４に応じて、第１〜第ｎの映像信号ｇ１〜ｇｎに含まれる各画像の解像度を変更し、解像度を変更した第１〜第ｎの映像信号ｇ１〜ｇｎに含まれる各画像データを、画像合成部１３３Ｄに出力する。なお、解像度情報ｇ２１４に解像度を変更しない情報が含まれている場合、調整部１３２Ｄは、解像度を変更しないことを示す画像の解像度を変更せずに、解像度を変更していない第１〜第ｎの映像信号ｇ１〜ｇｎに含まれる各画像データを、画像合成部１３３Ｄに出力する。
【０１２７】
画像合成部１３３Ｄは、制御部１３１Ｄから入力された配置情報ｇ２１０Ｄに応じて、調整部１３２Ｄから入力された第１〜第ｎの映像信号ｇ１〜ｇｎに含まれる解像度を変更した（または変更していない）各画像データを、表示部１５上に重ならないように並べて表示させるように合成する。画像合成部１３３Ｄは、合成した画像ｇ２１１を表示部１５に表示する。
【０１２８】
次に、選択部１２Ｄと処理部１３Ｄとが行う画像表示における処理の一例を、図１５を用いて説明する。図１５は、本実施形態に係る画像表示における処理のフローチャートである。なお、以下の例では、表示装置１Ｄに入力される第１〜第ｎの映像信号の全ての解像度は、表示装置１Ｄの解像度以下であるとする。
【０１２９】
（ステップＳ３０１）第１画素数検出部１２１−１〜第ｎ画素数検出部１２１−ｎは各々、第１入力部１１−１〜第ｎ入力部１１−ｎから各々入力された映像信号ｇ１〜ｇｎに含まれる画像の解像度を検出し、検出した解像度情報を示す映像情報ｇ３−１〜ｇ３−ｎを制御部１３１Ｄに出力する。なお、映像の解像度は、映像画像の画素数を示している。ステップＳ３０１終了後、制御部１３１Ｄは処理をステップＳ３０２に進める。
【０１３０】
（ステップＳ３０２）制御部１３１Ｄは、第１画素数検出部１２１−１〜第ｎ画素数検出部１２１−ｎによって取得されたｎ個の映像情報ｇ３−１〜ｇ３−ｎに含まれる画像（以下、ｎ個の画像という）の解像度を変更せずに、表示部１５にｎ個の画像を重ねずに並べて表示できるか否かを判別する。制御部１３１Ｄは、ｎ個の画像の解像度を変更せずに、表示部１５にｎ個の画像を重ねずに並べて表示できると判別した場合（ステップＳ３０２；表示できる）、ステップＳ３０３に進む。または、制御部１３１Ｄは、ｎ個の画像の解像度を変更せずに、表示部１５にｎ個の画像を重ねずに並べて表示できないと判別した場合（ステップＳ３０２；表示できない）、ステップＳ３０４に進む。
【０１３１】
（ステップＳ３０３）制御部１３１Ｄは、表示部１５上に第１〜第ｎの映像信号ｇ１〜ｇｎに含まれる各々の画像を、全て等倍表示するように制御する。ステップＳ３０３終了後、制御部１３１Ｄは、処理を終了する。
なお、ｎ個の画像を表示部１５上に重ねずに並べて表示する場合、表示装置１Ｄは、例えば、最優先の画像の解像度を変更せずに、表示部１５上に表示させるように制御する。そして、表示装置１Ｄは、最優先の画像を表示した差分領域に、残りの画像を解像度を変更せずに縦方向に重ねずに並べて表示させるように制御する。あるいは、差分領域に残りの画像を解像度を変更せずに横方向に重ねずに並べて表示するように制御してもよい。
【０１３２】
（ステップＳ３０４）制御部１３１Ｄは、検出部１４Ｄが検出した検出値に基づいて、第ｎの映像信号ｇｎの優先順位を検出する。ステップＳ３０４終了後、制御部１３１Ｄは処理をステップＳ３０５に進める。
（ステップＳ３０５）制御部１３１Ｄは、表示部１５の出力解像度のＸ０×Ｙ０と、最優先の順位が検出された第ｍの映像信号に含まれる画像の解像度のＸｍ×Ｙｍとの差分領域の解像度を算出する。なお、差分領域の解像度は、図１６のように横方向に差分領域がある場合、（Ｘ０−Ｘｍ）×Ｙ０であり、縦方向に差分領域がある場合、Ｘ０×（Ｙ０−Ｙｍ）である。ステップＳ３０５終了後、制御部１３１Ｄは処理をステップＳ３０６に進める。
【０１３３】
（ステップＳ３０６）制御部１３１Ｄは、表示部１５上に最優先の順位が検出された第ｍの映像信号に含まれる画像を等倍表示する。ステップＳ３０６終了後、制御部１３１Ｄは、処理をステップＳ３０７に進める。
（ステップＳ３０７）制御部１３１Ｄは、ステップＳ３０５で算出した差分領域の解像度に基づいて、第ｍ以外の第１〜第ｎの映像信号に含まれる画像を、ステップＳ３０４で検出した優先順位に応じて、差分領域に縮小して表示するように制御する。ステップＳ３０７終了後、制御部１３１Ｄは、処理を終了する。
【０１３４】
次に、制御部１３１Ｄが行う図１５に示した処理の一例を、図１６を用いて説明する。図１６は、本実施形態に係る入力画像と表示画像の一例を説明する図である。図１６に示した例では、表示装置１Ｄに入力される映像信号が３個で有る例を説明する。ここで、表示部の解像度は、Ｘ０×Ｙ０であり、第１の映像信号に含まれる画像ｐ１０１の解像度がＸ１×Ｙ１である。また、第２の映像信号に含まれる画像ｐ１０２の解像度がＸ２×Ｙ２であり、第３の映像信号に含まれる画像ｐ１０３の解像度がＸ３×Ｙ３である。また、画像ｐ１０１の縦方向の解像度Ｙ１が、表示部１５の縦方向の解像度Ｙ０と等しく、画像ｐ１０１の横方向の解像度Ｘ１が、表示部１５の縦方向の解像度Ｘ０未満であるとする。
【０１３５】
ステップＳ３０２において、制御部１３１Ｄは、画像ｐ１０１〜ｐ１０３の横方向の解像度の和ΣＸ（＝Ｘ１＋Ｘ２＋Ｘ３）を算出し、画像ｐ１０１〜ｐ１０３の縦方向の解像度の和ΣＹ（＝Ｙ１＋Ｙ２＋Ｙ３）を算出する。この例では、横方向の解像度の和ΣＸが表示部１５の横方向の解像度Ｘ０を超えていて、さらに縦方向の解像度の和ΣＹが表示部１５の縦方向の解像度Ｙ０を超えている。このため、制御部１３１Ｄは、３個の画像の解像度を変更せずに、表示部１５に３個の画像を重ねずに並べて表示できないと判別する。なお、この例では、第１の映像信号ｇ１に対して最優先の設定がされ、第２の映像信号ｇ２に対して優先順位が２番目の設定がされ、第３の映像信号ｇ３に対して優先順位が３番目の設定がされているとする。
【０１３６】
次に、制御部１３１Ｄは、第１〜第３の映像信号ｇ１〜ｇ３の優先順位を取得する（ステップＳ３０３）。次に、制御部１３１Ｄは、表示部１５上に第１の映像信号ｇ１に含まれる画像ｐ１０１を等倍で表示した後に差分領域の解像度（Ｘ０−Ｘ１）×Ｙ０を算出する（ステップＳ３０５）。
次に、制御部１３１Ｄは、第１の映像信号に含まれる画像ｐ１０１を、表示部１５上に例えば左側に寄せて、等倍で表示するように制御する（ステップＳ３０６）。
【０１３７】
次に、制御部１３１Ｄは、差分領域に、優先順位が２番目の第２の映像信号ｇ２に含まれる画像ｐ１０２を縮小して表示するように制御する。この結果、画像ｐ１０２は、画像ｐ１０２’のように解像度がＸ２’（ただしＸ２’はＸ２未満）×Ｙ２’（ただしＹ２’はＹ２未満）に縮小される。この時点での表示部１５の差分領域の解像度は、（Ｘ０−Ｘ１）×（Ｙ０−Ｙ２’）である。
次に、制御部１３１Ｄは、この差分領域に、３番目の優先順位である第３の映像信号ｇ３に含まれる画像ｐ１０３を縮小して表示するように制御する。この結果、画像ｐ１０３は、画像ｐ１０３’のように解像度がＸ３’（ただしＸ３’はＸ３未満）×Ｙ３’（ただしＹ３’はＹ３未満）に縮小される。
【０１３８】
なお、図１６に示した例では、優先順位が最優先の画像を表示した残りの差分領域に、残りの画像を縦方向に重ねずに並べて表示する例を説明したが、これに限られない。表示装置１Ｄの解像度と、入力される映像信号に含まれる解像度に応じて、全ての画像を横方向に重ねずに並べて表示してもよい。
例えば、入力される映像信号が４個の場合、表示装置１Ｄは、まず、最優先の映像信号に含まれる画像を等倍で表示し、その横に、優先順位が２番目の映像信号に含まれる画像を縮小して表示させるようにしてもよい。さらに、表示装置１Ｄは、優先順位が２番目の映像信号に含まれる画像の横に、優先順位が３番目の映像信号に含まれる画像を縮小して表示させるようにしてもよい。そして、表示装置１Ｄは、優先順位が３番目の映像信号に含まれる画像の下または上に、優先順位が４番目の映像信号に含まれる画像を縮小して表示させるようにしてもよい。
このように、映像信号に含まれる画像の配置位置は、例えば表示装置１Ｄの使用者の用途に応じた配置であってもよい。
【０１３９】
また、制御部１３１Ｄは、例えば優先順位が２番目の画像ｐ１０２の解像度を変更することで画像ｐ１０２を縮小して表示するように制御した後、表示部１５上に表示可能な領域内で、画像ｐ１０３の縮小率の値が最も大きくなる連続する領域を探索するようにしてもよい。なお、縮小率の値は、１が縮小されず等倍であり、１に近いほど縮小される度合いが小さく、０に近いほど縮小されることを表している。そして、制御部１３１Ｄは、探索した結果に基づいて、優先順位が３番目の画像ｐ１０３を縮小した画像を、縮小した画像ｐ１０２’の横方向に重ねずに並べて配置するか、画像ｐ１０２’の縦方向（上または下）に重ねずに並べて配置するかを決定するようにしてもよい。
【０１４０】
次に、表示部１５の解像度が縦長、すなわち、Ｙ０がＸ０より大きい場合の例を説明する。図１７は、本実施形態に係る入力画像と表示画像の他の例を説明する図である。なお、入力される映像信号に含まれる画像ｐ１０１〜ｐ１０３の解像度は、図１６と同じである。表示部１５の解像度は、Ｘ０ａ×Ｙ０ａであり、かつＹ０ａはＸ０ａより大きい。また、横方向の解像度Ｘ０ａは、画像ｐ１０１の横方向の解像度Ｘ１より大きく、縦方向の解像度Ｙ０ａは、画像ｐ１０１の縦方向の解像度Ｙ１より大きいとする。また、優先順位も図１６と同じであるとする。このため、制御部１３１Ｄは、３個の画像の解像度を変更せずに、表示部１５に３個の画像を重ねずに並べて表示できないと判別する（ステップＳ３０２）。
【０１４１】
制御部１３１Ｄは、まず、最優先である第１の映像信号ｇ１に含まれる画像ｐ１０１を、表示部１５上の例えば左上隅に寄せて等倍で表示する（ステップＳ３０６）。画像ｐ１０１を表示部１５上に表示した場合、画像Ｐ２１０−１のようになる。
画像ｐ１０１の表示後、２番目の優先順位である第２の映像信号ｇ２に含まれる画像ｐ１０２を縮小して表示できる領域は、点ａｂｃｄで囲まれた領域と、点ｅｆｃｇで囲まれた領域である。制御部１３１Ｄは、この２つの領域に画像ｐ１０２を表示した場合の縮小率を算出する。制御部１３１Ｄは、算出した結果に基づいて、縮小率の値が大きい方の点ａｂｃｄで囲まれた領域に、画像ｐ１０２を縮小した画像ｐ１０２’’を表示する。この結果、表示部１５上には、画像Ｐ２１０−２が表示される。画像Ｐ２１０−２に示すように、画像ｐ１０２は、画像ｐ１０２’’のように解像度がＸ２’’（ただしＸ２’’はＸ２未満）×Ｙ２’’（ただしＹ２’’はＹ２未満）に縮小される。
【０１４２】
画像ｐ１０２の表示後、３番目の優先順位である第３の映像信号ｇ３に含まれる画像ｐ１０３を縮小して表示できる領域は、点ｈｂｃｉで囲まれた領域と、点ｅｆｃｇで囲まれた領域である。制御部１３１Ｄは、この２つの領域に画像ｐ１０３を表示した場合の縮小率を算出する。制御部１３１Ｄは、算出した結果に基づいて、縮小率の値が大きい方の点ｈｂｃｉで囲まれた領域に、画像ｐ１０３を縮小した画像ｐ１０３’’を表示するように制御する。画像ｐ１０３は、画像ｐ１０３’’のように解像度がＸ３’’（ただしＸ３’’はＸ３未満）×Ｙ３’’（ただしＹ３’’はＹ３未満）に縮小されて、点ｈｂｃｉで囲まれた領域に表示される。
【０１４３】
以上のように、本実施形態の表示装置１Ｄでは、第１〜第ｎの映像信号に含まれるｎ個の画像の解像度を変更せずに、表示部１５にｎ個の画像を重ねずに並べて表示できると判別した場合、最優先の映像画像の解像度は変更せずに表示部１５上に表示する。そして、本実施形態の表示装置１Ｄでは、最優先の映像信号に含まれる画像を表示した残りの差分領域に、残りの映像信号に含まれる画像を、優先順位に基づいて、順次、重ならないように並べて表示する。これにより、本実施形態の表示装置１Ｄによれば、入力された複数の映像信号に含まれる画像の解像度を、例えばユーザが設定した最小解像度以上の解像度で、重ならないように並べて表示することができるので、一つの画面に複数の映像を表示する際に、映像の見やすさを確保することができる。
【０１４４】
なお、本実施形態では、処理部１３Ｄの調整部１３２Ｄが、表示装置１Ｄに入力された第１の映像信号ｇ１〜第ｎの映像信号ｇｎに含まれる画像の解像度を変更する例を説明したが、これに限られない。
例えば、図７に示したように、選択部１２Ｄが切替部を備えていてもよい。この場合、切替部は、制御部１３１Ｄからの指示に応じて、解像度を変更しない映像信号を画像合成部１３３Ｄに出力し、解像度を変更する映像信号を調整部１３２Ｄに出力するようにしてもよい。
【０１４５】
また、本実施形態では、最優先の映像信号に含まれる画像の解像度を変更せず、残りの映像信号に含まれる画像の解像度を変更する例を説明したが、これに限られない。ｎ個の映像信号に含まれる画像を重ねずに並べて表示部１５に表示できるのであれば、最優先及び優先順位が２番目の映像信号に含まれる画像の解像度を変更せず、残りの映像信号に含まれる画像の解像度を変更するようにしてもよい。この場合であっても、制御部１３１Ｄは、ｎ個の映像信号に含まれる画像が重ねずに並べて表示部１５に表示できるように、各画像の解像度と配置を制御する。
【０１４６】
［第６実施形態］
第５実施形態では、表示装置１Ｄに入力されるｎ個の映像信号ｇ１〜ｇｎの解像度が表示装置１Ｄの解像度以内の例を説明した。本実施形態では、表示装置１Ｄに入力されるｎ個の映像信号ｇ１〜ｇｎの解像度が表示装置１Ｅの解像度以上の例を説明する。
【０１４７】
図１８は、本実施形態に係る表示装置１Ｅの概略構成のブロック図である。図１８に示すように、表示装置１Ｅは、第１入力部１１−１、第ｎ入力部１１−ｎ、選択部１２Ｄ、処理部１３Ｅ、検出部１４Ｅ、表示部１５、および記憶部１６を備えている。また、検出部１４Ｅは、第１検出部１４Ｅ−１及び第２検出部１４Ｅ−２を備えている。なお、第５実施形態に示した表示装置１Ｄと同じ機能を有する機能部は、同じ符号を用いて説明を省略する。なお、第５実施形態と同様に、第１画素数検出部１２１−１及び第ｎ画素数検出部１２１−ｎは、処理部１３Ｅが備えていてもよい。
【０１４８】
第１検出部１４Ｅ−１は、表示装置本体のボタンスイッチやリモコンを操作して、ＯＳＤ表示等により、ユーザの希望する入力部の選択や優先入力部の指定を示す優先情報を検出する。第１検出部１４Ｅ−１は、検出した優先情報を、処理部１３Ｅの制御部１３１Ｅに出力する。
第２検出部１４Ｅ−２は、表示装置本体のボタンスイッチやリモコンを操作して、ＯＳＤ表示等により、各入力部の映像信号に含まれる各画像を表示部１５に表示する際のユーザの希望する各最小解像度を検出する。なお、最小解像度とは、例えば、映像信号に含まれる画像にテキストが含まれている場合、このテキストが判読可能な解像度である。第２検出部１４Ｅ−２は、検出したユーザの希望する入力部の選択や優先入力部の指定、及びユーザの希望する各最小解像度を示す情報を、制御部１３１Ｅに出力する。
【０１４９】
制御部１３１Ｅには、選択部１２Ｄから映像情報ｇ２０３−１、・・・、ｇ２０３−ｎ、第１検出部１４Ｅ−１から優先情報、及び第２検出部１４Ｅ−２ユーザの希望する各最小解像度を示す情報が入力される。制御部１３１Ｅは、記憶部１６に記憶されている表示部１５の解像度を読み出す。なお、制御部１３１Ｅは、表示部１５に表示される映像信号に基づいて、表示部１５の解像度を検出するようにしてもよい。
制御部１３１Ｅは、第１〜第ｎの映像信号ｇ１〜ｇｎに含まれる画像の解像度を変更せずに、表示部１５に画像を重ねずに並べて表示できるか否かを、読み出した表示部１５の解像度、選択部１２Ｄから入力された映像情報ｇ２０３−１、・・・、ｇ２０３−ｎ、及び検出部１４Ｅから入力された優先情報と各最小解像度を示す情報とに基づいて判別する。
【０１５０】
制御部１３１Ｅは、第１〜第ｎの映像信号ｇ１〜ｇｎに含まれる画像の解像度を変更せずに、表示部１５に画像を重ねずに並べて表示できると判別した場合、第１〜第ｎの映像信号ｇ１〜ｇｎに含まれる画像の解像度を変更しないことを示す解像度情報ｇ２１４Ｅを生成し、生成した解像度情報ｇ２１４Ｅを調整部１３２Ｄに出力する。また、制御部１３１Ｅは、第１〜第ｎの映像信号ｇ１〜ｇｎに含まれる画像を互いに重ねずに並べて表示部１５上に表示させる配置を決定し、決定した配置情報ｇ２１０Ｅを画像合成部１３３Ｄに出力する。
【０１５１】
制御部１３１Ｅは、第１〜第ｎの映像信号ｇ１〜ｇｎに含まれる画像の解像度を変更せずに、表示部１５に画像を重ねずに並べて表示できないと判別した場合、第１〜第ｎの映像信号ｇ１〜ｇｎに含まれる画像のうち、最も高い優先順位の画像の解像度と表示部１５の解像度とを比較し、表示部１５の解像度内に最も高い優先順位の画像を縮小せずに表示可能であるか否かを判別する。
制御部１３１Ｅは、表示部１５の解像度内に最も高い優先順位の画像を縮小せずに表示可能であると判別した場合、最も高い優先順位の画像の解像度を変更せず、且つ優先順位２位以下の画像を対応する画像の最小解像度以上の解像度に変更する解像度を示す解像度情報ｇ２１４Ｅを生成し、生成した解像度情報ｇ２１４Ｅを調整部１３２Ｄに出力する。
【０１５２】
制御部１３１Ｅは、表示部１５の解像度内に最も高い優先順位の画像を縮小せずに表示可能ではないと判別した場合、最も高い優先順位の画像の解像度を対応する最小解像度以上の解像度に変更し、且つ優先順位２位以下の画像を対応する最小解像度以上の解像度に変更する解像度を示す解像度情報ｇ２１４Ｅを生成する。制御部１３１Ｅは、生成した解像度情報ｇ２１４Ｅを調整部１３２Ｄに出力する。なお、画像の解像度の演算方法については後述する。また、制御部１３１Ｅは、第１〜第ｎの映像信号ｇ１〜ｇｎに含まれる画像を互いに重ねずに並べて表示部１５上に表示させる配置を決定し、決定した配置情報ｇ２１０Ｅを画像合成部１３３Ｄに出力する。
【０１５３】
次に、表示装置１Ｅが行う画像表示における処理の一例を、図１６及び図１９を用いて説明する。図１９は、本実施形態に係る画像表示における処理のフローチャートである。
【０１５４】
（ステップＳ３０１〜Ｓ３０４）ステップＳ３０１〜Ｓ３０４は、図１５と同様に行われる。ステップＳ３０４終了後、制御部１３１Ｅは処理をステップＳ４０１に進める。
（ステップＳ４０１）制御部１３１Ｅは、ｎ個の映像信号に含まれる各画像の最小解像度を取得する。ステップＳ４０１終了後、制御部１３１Ｅは処理をステップＳ４０２に進める。
【０１５５】
（ステップＳ４０２）制御部１３１Ｅは、表示部１５の出力解像度のＸ０×Ｙ０と、最優先の順位が検出された第ｍの映像信号に含まれる画像の解像度のＸｍ×Ｙｍとの差分領域の解像度を算出する。ステップＳ４０２終了後、制御部１３１Ｅは処理をステップＳ４０３に進める。
【０１５６】
（ステップＳ４０３）制御部１３１Ｅは、表示部１５上の差分領域に、ステップＳ４０１で取得した最小解像度の第１〜第ｎ（ｍは除く）の映像信号に含まれる画像を、重ねずに並べて表示できる（収まる）か否かを判別する。制御部１３１Ｅは、差分領域に最小解像度の第１〜第ｎ（ｍは除く）の映像信号に含まれる画像が収まると判別した場合（ステップＳ４０３；収まる）、ステップＳ４０４に進む。または、制御部１３１Ｅは、差分領域に最小解像度の第１〜第ｎ（ｍは除く）の映像信号に含まれる画像が収まらないと判別した場合（ステップＳ４０３；収まらない）、ステップＳ４０６に進む。
【０１５７】
（ステップＳ４０４）制御部１３１Ｅは、最優先の順位が検出された第ｍの映像信号に含まれる画像を等倍表示するように制御する。ステップＳ４０４終了後、制御部１３１Ｅは、処理をステップＳ４０５に進める。
【０１５８】
（ステップＳ４０５）制御部１３１Ｅは、ステップＳ４０２で算出した差分領域の解像度に基づいて、第ｍ以外の第１〜第ｎの映像信号の画像を、ステップＳ３０４で検出した優先順位及びステップＳ４０１で取得した最小解像度の情報に応じて、差分領域に縮小して表示するように制御する。
例えば、制御部１３１Ｅは、優先順位が２番目の映像信号に含まれる画像に対して、ステップＳ４０１で取得した最小解像度以上になる比率で縮小し、縮小した画像を表示部１５上に表示するように制御する。さらに、制御部１３１Ｅは、優先順位が３番目の映像信号に含まれる画像に対して、ステップＳ４０１で取得した最小解像度以上になる比率で縮小し、縮小した画像を表示部１５上に表示するように制御する。以下、制御部１３１Ｅは、入力された映像信号の個数に応じて、ステップＳ４０５を繰り返し、全ての映像信号に含まれる画像を、表示部１５上に表示するように制御したとき、処理を終了する。
【０１５９】
（ステップＳ４０６）制御部１３１Ｅは、ステップＳ４０１で取得した最優先の第ｍの映像信号の最小解像度に基づいて、第ｍの映像信号に含まれる画像を表示部１５上に収まるように縮小して表示するように制御する。なお、第ｍの映像信号に含まれる画像の縮小率は、ステップＳ４０１で取得した最小解像度以上である。このため、制御部１３１Ｅは、差分領域に最優先の順位が検出された第ｍの映像信号に含まれる画像が、最小解像度以上で表示できるか否かを判別し、表示できないと判別した場合、表示部１５上に、全ての映像信号に含まれる画像を最小解像度で表示することができない旨の報知を行うようにしてもよい。ステップＳ４０６終了後、制御部１３１Ｅは、処理をステップＳ４０７に進める。
【０１６０】
（ステップＳ４０７）制御部１３１Ｅは、ステップＳ４０２で算出した差分領域の解像度に基づいて、第ｍ以外の第１〜第ｎの映像信号の画像を、ステップＳ３０４で検出した優先順位及びステップＳ４０１で取得した最小解像度の情報に応じて、差分領域に縮小して表示するように制御する。なお、ステップＳ４０７では、優先順位が２番目以降の映像信号に含まれる画像を各々、最小解像度で表示部１５上に制御部１３１Ｅが配置を制御して表示するように制御する。しかしながら、差分領域の大きさに応じて、最小解像度以上の縮小率で表示が可能な場合、２番目以降の映像信号に含まれる画像を各々、最小解像度以上で表示部１５上に制御部１３１Ｅが配置を制御して表示させるように制御してもよい。
以上で、複数の映像信号に含まれる画像を重ねずに並べて表示させる処理を終了する。
【０１６１】
次に、制御部１３１Ｅが行う図１９に示した処理の一例を、図２０を用いて説明する。図２０は、本実施形態に係る入力画像と表示画像の一例を説明する図である。図２０に示した例では、表示装置１Ｅに入力される映像信号が３個で有る例を説明する。ここで、表示部の解像度は、Ｘ０×Ｙ０であり、第１の映像信に含まれる画像ｐ２０１の解像度がＸ４×Ｙ４である。また、第２の映像信号に含まれる画像ｐ２０２の解像度がＸ２×Ｙ２であり、第３の映像信号に含まれる画像ｐ２０３の解像度がＸ３×Ｙ３である。また、画像ｐ２０１の縦方向の解像度Ｙ４は、表示部１５の縦方向の解像度Ｙ０より大きく、画像ｐ２０１の横方向の解像度Ｘ４が、表示部１５の縦方向の解像度Ｘ０未満であるとする。また、第１の映像信号ｇ１に対して最優先の設定がされ、第２の映像信号ｇ２に対して優先順位が２番目の設定がされ、第３の映像信号ｇ３に対して優先順位が３番目の設定がされているとする。
【０１６２】
ステップＳ３０２において、制御部１３１Ｅは、例えば、画像ｐ２０１〜ｐ２０３の横方向の解像度の和ΣＸ（＝Ｘ４＋Ｘ２＋Ｘ３）を算出し、画像ｐ２０１〜ｐ２０３の縦方向の解像度の和ΣＹ（＝Ｙ４＋Ｙ２＋Ｙ３）を算出する。次に、制御部１３１Ｅは、横方向の解像度の和ΣＸが表示部１５の横方向の解像度Ｘ０を超えていて、さらに縦方向の解像度の和ΣＹが表示部１５の縦方向の解像度Ｙ０を超えていると判別する。
【０１６３】
制御部１３１Ｅは、表示部１５の出力解像度のＸ０×Ｙ０と、最優先の順位が検出された第１の映像信号ｇ１に含まれる画像の解像度のＸ４×Ｙ４との差分領域の解像度を算出する（ステップＳ４０２）。この場合、第１の映像信号ｇ１に含まれる画像の縦方向の解像度Ｙ４が表示部１５の縦方向の解像度Ｙ０より大きいため、制御部１３１Ｅは、最優先の第１の映像信号ｇ１の最小解像度に基づいて、第１の映像信号ｇ１に含まれる画像を表示部１５上に収まるように縮小して、縮小した画像ｐ２０１’を表示するように制御する。以下、制御部１３１Ｅは、差分領域に、画像ｐ２０２を最小解像度以上の解像度に縮小した画像ｐ２０２’として表示するように制御する。さらに、制御部１３１Ｅは、差分領域に、画像ｐ２０３を最小解像度以上の解像度に縮小した画像ｐ２０３’として表示するように制御する（ステップＳ４０７）。
【０１６４】
以上のように、本実施形態の表示装置１Ｅでは、第１〜第ｎの映像信号に含まれる画像の解像度が、表示部１５の表示領域より大きい場合であれば、最優先の映像画像であっても最小解像度以上の解像度に縮小して表示部１５上に表示する。そして、本実施形態の表示装置１Ｅでは、最優先の映像信号に含まれる画像を表示した残りの差分領域に、残りの映像信号に含まれる画像を、優先順位と各画像に対応する最小解像度に基づいて、順次、重ならないように並べて表示する。これにより、本実施形態の表示装置１Ｅによれば、入力された複数の映像信号に含まれる画像の解像度を、例えばユーザが設定した最小解像度以上の解像度で、重ならないように並べて表示することができるので、一つの画面に複数の映像を表示する際に、映像の見やすさを確保することができる。
【０１６５】
なお、本実施形態では、最小解像度ユーザが第２検出部１４Ｅ−２を操作して決定する例を説明したが、これに限られない。各映像信号に含まれる画像に対する最小解像度は、各映像信号を出力する画像出力装置（図示せず）が決定し、各映像信号に含めて出力するようにしてもよい。
【０１６６】
また、本実施形態では、表示部１５の表示領域の形状の例として、縦長の長方形及び横長の長方形の例を説明したが、これに限られない。例えば、表示部１５の表示領域の形状は、略正方形、略円形、略楕円形、多角形等であってもよい。
【０１６７】
なお、図１における制御部（ＣＰＵ）１７や処理部（映像処理回路）１３、図５における選択部１２Ａや処理部１３Ａ、図７における選択部１２Ｂや処理部１３Ｂ、図１０における選択部１２Ｃや処理部１３Ｃ、図１４における選択部１２Ｄや処理部１３Ｄ、及び図１８における選択部１２Ｄや処理部１３Ｅの機能の全てまたは一部を実現するためのプログラムをコンピュータ読み取り可能な記録媒体に記録して、この記録媒体に記録されたプログラムをコンピュータシステムに読み込ませ、実行することにより動作の制御を行ってもよい。なお、ここでいう「コンピュータシステム」とは、ＯＳや周辺機器等のハードウェアを含むものとする。
【０１６８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを、通信回線を介して配信（ダウンロード等）させるようにしてもよい。
【０１６９】
以上、この発明の実施形態について図面を参照して詳述してきたが、具体的な構成はこの実施形態に限られるものではなく、この発明の要旨を逸脱しない範囲の設計等も含まれる。
【０１７０】
なお、本発明の態様をまとめると次の付記１から付記１８のように表すことができる。
〔付記１〕
複数の映像を同時に表示する表示部と、
前記複数の映像に対して優先順位を設定する優先順位設定部と、
前記複数の映像を前記表示部に表示させる処理部と、を備え、
前記処理部は、
前記複数の映像の解像度を変更せずに互いに重ねずに並べて前記表示部に表示できるか否かを判別し、
前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させ、
前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる
ことを特徴とする表示装置。
〔付記２〕
前記処理部は、
前記判別の結果、前記複数の映像の解像度を変更せずに前記複数の映像を互いに重ねずに並べて前記表示部に表示できないと判別した場合、前記複数の映像のうち前記優先順位の最も高い前記映像の解像度を変更せずに、前記表示部の解像度と、前記複数の映像の解像度と、前記優先順位と、に基づいて、前記優先順位の最も高い前記映像以外の映像のうち少なくとも１つの映像の解像度を変更し、解像度を変更した前記映像を含む前記複数の映像を互いに重ねずに並べて前記表示部に表示させる
ことを特徴とする付記１に記載の表示装置。
〔付記３〕
前記表示部に表示する前記映像の最小解像度を設定する最小解像度設定部をさらに備え、
前記処理部は、
判別の結果、前記複数の映像の解像度を変更せずに前記複数の映像を互いに重ねずに並べて前記表示部に表示できないと判別した場合、更に前記最小解像度に基づいて、前記複数の映像のうち少なくとも１つの解像度を変更し、解像度を変更した前記映像を含む前記複数の映像を互いに重ねずに並べて前記表示部に表示させる
ことを特徴とする付記１または付記２に記載の表示装置。
〔付記４〕
前記処理部は、
前記判別の結果、前記複数の映像の解像度を変更せずに前記複数の映像を互いに重ねずに並べて前記表示部に表示できず、且つ前記複数の映像のうち少なくとも１つの解像度を前記最小解像度より小さくしなければ前記複数の映像のうち前記優先順位の最も高い前記映像の解像度を変更せずに前記複数の映像を互いに重ねずに並べて前記表示部に表示できないと判別した場合、前記優先順位の最も高い前記映像の解像度を変更して前記表示部に表示させる
ことを特徴とする付記３に記載の表示装置。
〔付記５〕
前記複数の映像のうち少なくとも２つの映像を、前記表示部で、重ねずに所定の方向で並列させる
ことを特徴とする付記１から付記４のいずれか１項に記載の映像表示装置。
〔付記６〕
前記所定の方向が、水平方向である
ことを特徴とする付記５に記載の映像表示装置。
〔付記７〕
前記所定の方向が、垂直方向である
ことを特徴とする付記５に記載の映像表示装置。
〔付記８〕
前記処理部は、
前記優先順位の最も高い前記映像の解像度と前記表示部の解像度とに基づいて、前記優先順位の最も高い前記映像以外の映像の解像度を算出し、前記算出した解像度に応じて前記優先順位の最も高い前記映像以外の映像の解像度を変更し、前記残りの領域に前記変更した後の映像を表示する
ことを特徴とする付記１から付記７のいずれか１項に記載の表示装置。
〔付記９〕
前記処理部は、
前記判別の結果、前記複数の映像の解像度を変更せずに前記複数の映像を互いに重ねずに並べて前記表示部に表示できないと判別した場合、アスペクト比を変えずに前記映像の解像度を変更する
ことを特徴とする付記１から付記８のいずれか１項に記載の表示装置。
〔付記１０〕
前記処理部は、
前記判別の結果、前記複数の映像の解像度を変更せずに前記複数の映像を互いに重ねずに並べて前記表示部に表示できないと判別した場合、前記複数の映像のうち前記優先順位の最も高い前記映像以外の映像から有効領域を検出し、前記優先順位の最も高い前記映像以外の映像から前記検出した前記有効領域を抽出し、前記優先順位の最も高い前記映像を表示した残りの領域に前記抽出して得た有効領域の映像を重ねずに並べて表示する
ことを特徴とする付記１から付記９のいずれか１項に記載の表示装置。
〔付記１１〕
前記処理部は、
前記映像の信号レベルが予め定められている範囲の領域を前記有効領域として検出する
ことを特徴とする付記１０に記載の表示装置。
〔付記１２〕
前記処理部は、
前記複数の映像のうち前記優先順位の最も高い前記映像以外の映像の垂直方向における前記有効領域の開始点と終了点とを検出し、前記優先順位の最も高い前記映像以外の映像の水平方向における前記有効領域の開始点と終了点とを検出することで前記有効領域を検出する
ことを特徴とする付記１０または付記１１に記載の表示装置。
〔付記１３〕
前記複数の映像の画素数を検出する画素数検出部を備え、
前記処理部は、
前記画素数検出部が検出した画素数に基づいて、前記優先順位の最も高い前記映像以外の映像を前記残りの領域に表示可能であるか否かを判別し、前記優先順位の最も高い前記映像以外の映像を前記残りの領域に表示可能ではないと判別した場合、前記優先順位の最も高い前記映像以外の映像から前記検出した前記有効領域を抽出する
ことを特徴とする付記１０から付記１２のいずれか１項に記載の表示装置。
〔付記１４〕
前記優先順位設定部は、
前記複数の入力部のうち、ユーザにより選択された前記複数の入力部を選択するとともに、前記選択した前記複数の入力部のうち、１つの入力部をユーザの指示により優先入力部とし、前記優先入力部に入力された映像に対して最も高い優先順位を設定する
ことを特徴とする付記１から付記１３のいずれか１項に記載の表示装置。
〔付記１５〕
複数の映像を同時に表示部に表示する表示手順と、
前記複数の映像に対して優先順位を設定する優先順位設定手順と、
前記複数の映像の解像度を変更せずに互いに重ねずに並べて前記表示部に表示できるか否かを判別する手順と、
前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させる手順と、
前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる手順と、
を含むことを特徴とする表示方法。
〔付記１６〕
前記判別の結果、前記複数の映像の解像度を変更せずに前記複数の映像を互いに重ねずに並べて前記表示部に表示できないと判別した場合、前記複数の映像のうち前記優先順位の最も高い前記映像の解像度を変更せずに、前記表示部の解像度と、前記複数の映像の解像度と、前記優先順位と、に基づいて、前記優先順位の最も高い前記映像以外の映像のうち少なくとも１つの映像の解像度を変更する手順と、
解像度を変更した前記映像を含む前記複数の映像を互いに重ねずに並べて前記表示部に表示させる手順と、
を含むことを特徴とする付記１５に記載の表示方法。
〔付記１７〕
検出値に基づいて指定される一の入力部に入力された優先順位の最も高い映像の解像度を変更せずに表示部上に表示する手順と、
他の入力部に入力された優先順位の最も高い映像以外の映像の解像度を変更する手順と、
前記表示部上の前記優先順位の最も高い映像を表示した残りの領域に前記変更した後の前記優先順位の最も高い映像以外の映像を表示する処理手順と、
を含むことを特徴とする表示方法。
〔付記１８〕
各映像信号がそれぞれ入力される複数の入力部のうち、少なくとも１つの入力部を選択する選択手順と、
前記選択手順により選択された入力部のうち、１つの入力部を優先入力部とする手順と、
前記優先入力部に入力された優先順位の最も高い映像の解像度を変更せず表示部上に表示する手順と、
前記選択手順により選択され、前記優先入力部と異なる入力部に入力された前記優先順位の最も高い映像以外の映像の解像度を変更する手順と、
前記表示部上の前記優先順位の最も高い映像を表示した残りの領域に前記変更した後の前記優先順位の最も高い映像以外の映像を表示する処理手順と、
を含むことを特徴とする表示方法。
【０１７１】
また、本願は、２０１２年７月１７日に出願されたＰＣＴ／ＪＰ２０１２／０６８０７４号、及び２０１２年１２月２７日に出願されたＰＣＴ／ＪＰ２０１２／０８３９９５号に基づき優先権を主張し、その内容をここに援用する。
【符号の説明】
【０１７２】
１、１Ａ、１Ｂ、１Ｃ、１Ｄ、１Ｅ…表示装置、１３…処理部（映像処理回路）、１４、１４Ｄ、１４Ｅ…検出部（調節用スイッチ）、１５…表示部（液晶パネル）、１６…記憶部（保存メモリ）、１７…制御部（ＣＰＵ）、ｇ１…映像信号（１）、ｇ２…映像信号（２）、１１−１…第１入力部〜１１−ｎ…第ｎ（ｎは２以上の整数）入力部、１２Ａ、１２Ｂ、１３Ｃ、１３Ｄ、１３Ｅ…選択部、１３Ａ、１３Ｂ、１３Ｃ、１３Ｄ…処理部、１２１…第１画素数検出部、１２２…第２画素数検出部、１２３、１２３Ｃ…切替部、１３１、１３１Ｃ、１３１Ｄ、１３１Ｅ…制御部、１３２、１３２Ｄ、１３３Ｄ…調整部、１３３…画像合成部、１３４…画像開始点検出部、１４Ｅ−１…第１検出部、１４Ｅ−２…第２検出部、ｇ１…第１の映像信号〜ｇｎ…第ｎの映像信号
【図１】
2014013979.tif 000003
【図２】
2014013979.tif 000004
【図３】
2014013979.tif 000005
【図４】
2014013979.tif 000006
【図５】
2014013979.tif 000007
【図６】
2014013979.tif 000008
【図７】
2014013979.tif 000009
【図８】
2014013979.tif 000010
【図９】
2014013979.tif 000011
【図１０】
2014013979.tif 000012
【図１１】
2014013979.tif 000013
【図１２】
2014013979.tif 000014
【図１３】
2014013979.tif 000015
【図１４】
2014013979.tif 000016
【図１５】
2014013979.tif 000017
【図１６】
2014013979.tif 000018
【図１７】
2014013979.tif 000019
【図１８】
2014013979.tif 000020
【図１９】
2014013979.tif 000021
【図２０】
2014013979.tif 000022
【図２１】
2014013979.tif 000023
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
複数の映像を同時に表示する表示部と、
前記複数の映像に対して優先順位を設定する優先順位設定部と、
前記複数の映像を前記表示部に表示させる処理部と、を備え、
前記処理部は、
前記複数の映像の解像度を変更せずに互いに重ねずに並べて前記表示部に表示できるか否かを判別し、
前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させ、
前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる
ことを特徴とする表示装置。
【請求項２】
前記処理部は、
前記判別の結果、前記複数の映像の解像度を変更せずに前記複数の映像を互いに重ねずに並べて前記表示部に表示できないと判別した場合、前記複数の映像のうち前記優先順位の最も高い前記映像の解像度を変更せずに、前記表示部の解像度と、前記複数の映像の解像度と、前記優先順位と、に基づいて、前記優先順位の最も高い前記映像以外の映像のうち少なくとも１つの映像の解像度を変更し、解像度を変更した前記映像を含む前記複数の映像を互いに重ねずに並べて前記表示部に表示させる
ことを特徴とする請求項１に記載の表示装置。
【請求項３】
前記表示部に表示する前記映像の最小解像度を設定する最小解像度設定部をさらに備え、
前記処理部は、
判別の結果、前記複数の映像の解像度を変更せずに前記複数の映像を互いに重ねずに並べて前記表示部に表示できないと判別した場合、更に前記最小解像度に基づいて、前記複数の映像のうち少なくとも１つの解像度を変更し、解像度を変更した前記映像を含む前記複数の映像を互いに重ねずに並べて前記表示部に表示させる
ことを特徴とする請求項１または請求項２に記載の表示装置。
【請求項４】
前記処理部は、
前記判別の結果、前記複数の映像の解像度を変更せずに前記複数の映像を互いに重ねずに並べて前記表示部に表示できず、且つ前記複数の映像のうち少なくとも１つの解像度を前記最小解像度より小さくしなければ前記複数の映像のうち前記優先順位の最も高い前記映像の解像度を変更せずに前記複数の映像を互いに重ねずに並べて前記表示部に表示できないと判別した場合、前記優先順位の最も高い前記映像の解像度を変更して前記表示部に表示させる
ことを特徴とする請求項３に記載の表示装置。
【請求項５】
前記複数の映像のうち少なくとも２つの映像を、前記表示部で、重ねずに所定の方向で並列させる
ことを特徴とする請求項１から請求項４のいずれか１項に記載の表示装置。
【請求項６】
前記所定の方向が、水平方向である
ことを特徴とする請求項５に記載の表示装置。
【請求項７】
前記所定の方向が、垂直方向である
ことを特徴とする請求項５に記載の表示装置。
【請求項８】
前記処理部は、
前記優先順位の最も高い前記映像の解像度と前記表示部の解像度とに基づいて、前記優先順位の最も高い前記映像以外の映像の解像度を算出し、前記算出した解像度に応じて前記優先順位の最も高い前記映像以外の映像の解像度を変更し、前記表示部が映像を表示する領域のうち、前記優先順位の最も高い前記映像を表示していない領域に前記変更した後の映像を表示させる
ことを特徴とする請求項１から請求項７のいずれか１項に記載の表示装置。
【請求項９】
前記処理部は、
前記判別の結果、前記複数の映像の解像度を変更せずに前記複数の映像を互いに重ねずに並べて前記表示部に表示できないと判別した場合、アスペクト比を変えずに前記映像の解像度を変更する
ことを特徴とする請求項１から請求項８のいずれか１項に記載の表示装置。
【請求項１０】
複数の映像を同時に表示部に表示する表示手順と、
前記複数の映像に対して優先順位を設定する優先順位設定手順と、
前記複数の映像の解像度を変更せずに互いに重ねずに並べて前記表示部に表示できるか否かを判別する手順と、
前記判別の結果、前記複数の映像の解像度を変更せずに前記複数の映像を互いに重ねずに並べて前記表示部に表示できると判別した場合、前記複数の映像の解像度を変更せずに前記複数の映像を互いに重ねずに並べて前記表示部に表示させる手順と、
前記判別の結果、前記複数の映像の解像度を変更せずに前記複数の映像を互いに重ねずに並べて前記表示部に表示できないと判別した場合、前記表示部の解像度と、前記複数の映像の解像度と、前記優先順位と、に基づいて、前記複数の映像のうち少なくとも１つの解像度を変更し、解像度を変更した前記映像を含む前記複数の映像を互いに重ねずに並べて前記表示部に表示させる手順と、
を含むことを特徴とする表示方法。
【国際調査報告】
2014013979.tif 000024
2014013979.tif 000025